(57)【要約】  光学照準部に適した撮影を行うことができる撮像装置、撮像方法およびプログラムを提供する。撮像装置は、被写体と対向する前面側に設けられたレンズ部を介して視野領域から集光した光を受光して光電変換を行うことによって画像データを生成する撮像素子を備えた撮像装置であって、視野領域内に光ビームまたは照準マークの虚像を生じさせる光学照準部と、光学照準部が駆動した場合、光学照準部の駆動に対応した撮影制御で撮影を行う撮像制御部と、を備える。
2015025878.tif 000002
【特許請求の範囲】
【請求項１】
被写体と対向する前面側に設けられた撮像光学系を介して視野領域から集光した光を受光して画像データを生成する撮像素子を備えた撮像装置であって、
前記撮像光学系が集光する視野領域からの光を透過するとともに、前記視野領域からの光を透過する領域に光ビームまたは照準マークの虚像を生じさせる光学照準部と、
前記光学照準部が駆動した場合、前記光学照準部の駆動に対応した撮影制御で撮影を行う撮像制御部と、
を備えたことを特徴とする撮像装置。
【請求項２】
前記光学照準部を駆動する駆動信号の入力を受け付けるスイッチ部をさらに備え、
前記撮像光学系は、
焦点距離を変更可能なズームレンズと、
前記ズームレンズを前記撮像光学系の光軸に沿って移動させるズーム駆動部と、
を有し、
前記撮像制御部は、
前記スイッチ部から前記駆動信号が入力された場合、前記ズーム駆動部を駆動して前記ズームレンズを望遠位置に移動させて停止させることを特徴とする請求項１に記載の撮像装置。
【請求項３】
前記スイッチ部は、
前記光学照準部の駆動を停止する停止信号の入力をさらに受け付け、
前記撮像制御部は、
前記スイッチ部から前記停止信号が入力された場合、前記ズームレンズを前記望遠位置で停止させることを特徴とする請求項２に記載の撮像装置。
【請求項４】
前記望遠位置に対応する焦点距離の設定を指示する指示信号の入力の入力を受け付ける入力部をさらに備えたことを特徴とする請求項３に記載の撮像装置。
【請求項５】
前記光学照準部は、
前記光ビームまたは照準マークを射出する光源部と、
前記視野領域からの光を透過するとともに、前記光源部が出射した前記光束を前記前面側と相反する背面側に向けて反射する光学素子と、
を有することを特徴とする請求項４に記載の撮像装置。
【請求項６】
少なくとも前記光学素子を当該撮像装置から遠ざかる方向へ移動可能に保持するとともに、前記光源部を前記撮像光学系の光軸と直交する垂直面において移動可能に保持する脚部と、前記脚部の先端に設けられ、前記視野領域に対して照明光を照射するフラッシュ発光部と、
当該撮像装置がピントを自動的に合わせるオートフォーカス処理時に前記視野領域に対して補助光を照射する補助光発光部と、
をさらに備え、
前記撮像制御部は、前記光学照準部が駆動した場合、前記フラッシュ発光部の照明光および前記補助光発光部の前記補助光それぞれの照射を禁止することを特徴とする請求項５に記載の撮像装置。
【請求項７】
前記脚部における前記光源部の位置を調整可能な光源調整部をさらに備えたことを特徴とする請求項６に記載の撮像装置。
【請求項８】
前記脚部における前記光源部の位置を検出する位置検出部と、
前記画像データに対応する画像を表示する表示部と、
前記撮像光学系の現在の焦点距離を検出する焦点距離検出部と、
前記位置検出部が検出した前記光源部の位置と前記焦点距離検出部が検出した前記焦点距離とを対応付けた情報を前記画像に重畳して前記表示部に表示させる表示制御部と、
をさらに備えたことを特徴とする請求項７に記載の撮像装置。
【請求項９】
当該撮像装置に生じる手ブレを検出する手ブレ検出部と、
前記撮像素子および前記撮像光学系のいずれか一方を移動させて前記手ブレを抑制する手ブレ補正部と、
をさらに備え、
前記撮像制御部は、前記手ブレ検出部が検出した前記手ブレの検出結果に基づいて、前記手ブレ補正部の駆動制御を行うとともに、前記光学照準部が駆動した場合、前記手ブレ補正部の駆動をホールドさせることを特徴とする請求項１に記載の撮像装置。
【請求項１０】
露光を開始する開始信号の入力を受け付けるレリーズスイッチをさらに備え、
前記撮像制御部は、前記光学照準部が駆動した場合において、前記レリーズスイッチから前記開始信号が入力されたとき、前記手ブレ補正部を駆動させることを特徴とする請求項９に記載の撮像装置。
【請求項１１】
前記画像データに対応する画角内における被写体から当該撮像装置までの距離を検出する距離検出部をさらに備え、
前記撮像制御部は、前記光学照準部が駆動した場合、前記距離検出部が検出した前記距離に基づいて、前記手ブレ補正部を駆動させて前記撮像素子を移動させることを特徴とする請求項１０に記載の撮像装置。
【請求項１２】
前記画像データに対応する画像内における被写体の顔を検出する顔検出部をさらに備え、
前記撮像制御部は、前記光学照準部が駆動した場合、前記手ブレ補正部を駆動することによって、前記顔検出部が検出した前記顔を含む領域が前記画像の中央に位置するように前記撮像素子を移動させることを特徴とする請求項１０に記載の撮像装置。
【請求項１３】
前記撮像素子の位置を移動させる指示信号の入力を受け付ける入力部をさらに備え、
前記撮像制御部は、前記光学照準部が駆動した場合、前記手ブレ補正部を駆動することによって、前記入力部が前記指示信号の入力を受けたとき、前記手ブレ補正部を駆動することによって、前記指示信号に応じた位置に前記撮像素子を移動させることを特徴とする請求項１０に記載の撮像装置。
【請求項１４】
前記撮像素子が時間的に連続して生成する前記画像データに対応する画像間において移動する被写体を検出する被写体検出部をさらに備え、
前記手ブレ検出部は、前記手ブレとして当該撮像装置の構え直しを検出し、
前記撮像制御部は、前記手ブレ検出部が前記構え直しを検出した場合、前記被写体検出部が検出した前記被写体に応じて前記撮像素子を移動させて前記手ブレを抑制する撮影制御で撮影を行うことを特徴とする請求項１０〜１３のいずれか一つに記載の撮像装置。
【請求項１５】
前記撮像光学系を該撮像光学系の光軸上を移動させる駆動部をさらに備え、
前記撮像制御部は、前記駆動部を駆動することによって、前記撮像光学系を移動させて前記撮像光学系のピント位置を調整するとともに、前記光学照準部が駆動した場合、前記ピント位置を前記画像データに対応する画像内における所定の領域に設定することを特徴とする請求項１に記載の撮像装置。
【請求項１６】
前記画像内における位置を指示する指示信号の入力を受け付ける入力部をさらに備え、
前記所定の領域は、前記画像の中央領域または前記入力部が受け付けた前記指示信号に応じた位置を含む領域であることを特徴とする請求項１５に記載の撮像装置。
【請求項１７】
前記画像データに対応する画像を表示可能な背面表示部と、
前記画像データに対応する画像を表示可能な接眼表示部と、
前記接眼表示部に近接する物体を検出する物体検出部と、
前記物体検出部が前記物体を検出した場合、前記接眼表示部に前記画像を表示させる一方、前記物体検出部が前記物体を検出しない場合、前記背面表示部に前記画像を表示させる表示制御部と、
を備え、
前記撮像制御部は、前記光学照準部が駆動中に、前記物体検出部が前記物体を検出した場合、前記光学照準部の駆動を停止することを特徴とする請求項１５または１６に記載の撮像装置。
【請求項１８】
前記光学照準部は、
前記光ビームまたは照準マークを射出する光源部と、
前記視野領域からの光を透過するとともに、前記光源部が出射した前記光ビームまたは照準マークを前記前面側と相反する背面側に向けて反射する光学素子と、
を有することを特徴とする請求項９〜１７のいずれか一つに記載の撮像装置。
【請求項１９】
少なくとも前記光学素子を当該撮像装置から遠ざかる方向へ移動可能に保持する脚部をさらに備えたことを特徴とする請求項１８に記載の撮像装置。
【請求項２０】
前記脚部は、基端部が当該撮像装置に回転可能に軸支され、
前記光源部は、当該撮像装置または前記脚部に設けられ、
前記光学照準部は、当該撮像装置に対して回動可能に前記光学素子を支持する支持部を有することを特徴とする請求項１９に記載の撮像装置。
【請求項２１】
前記脚部の先端部に設けられ、前記視野領域に対して照明光を照射するフラッシュ発光部をさらに備え、
前記光学素子は、当該撮像装置と前記フラッシュ発光部との間に設けられていることを特徴とする請求項２０に記載の撮像装置。
【請求項２２】
被写体と対向する前面側に設けられた撮像光学系を介して視野領域から集光した光を受光して画像データを生成する撮像素子と、前記撮像光学系が集光する視野領域からの光を透過するとともに、前記視野領域からの光を透過する領域に光ビームまたは照準マークの虚像を生じさせる光学照準部と、を備えた撮像装置が実行する撮像方法であって、
前記光学照準部が駆動した場合、前記光学照準部の駆動に対応した撮影制御で撮影を行う撮像制御ステップを含むことを特徴とする撮像方法。
【請求項２３】
被写体と対向する前面側に設けられた撮像光学系を介して視野領域から集光した光を受光して画像データを生成する撮像素子と、前記撮像光学系が集光する視野領域からの光を透過するとともに、前記視野領域からの光を透過する領域に光ビームまたは照準マークの虚像を生じさせる光学照準部と、を備えた撮像装置に、
前記光学照準部が駆動した場合、前記光学照準部の駆動に対応した撮影制御で撮影を行う撮像制御ステップを実行させることを特徴とするプログラム。
【発明の詳細な説明】
【技術分野】
【０００１】
本発明は、被写体を撮像して該被写体の画像データを生成する撮像装置、撮像方法およびプログラムに関する。
【背景技術】
【０００２】
従来、デジタルカメラ等の撮像装置において、ホットシューに取り付けられた外付けのフラッシュ装置等のアクセサリの種類に応じて、露出値やシャッタスピード等の撮影パラメータを設定して撮像装置の撮影制御を行う技術が知られている（特許文献１参照）。【０００３】
また、撮像装置に光学照準器を取り付けて、撮像装置の撮像範囲の略中央の位置を把握できる技術が知られている（特許文献２参照）。
【先行技術文献】
【特許文献】
【０００４】
【特許文献１】特開２００５−１７３３１４号公報
【特許文献２】特開２００６−７２１８７号公報
【発明の概要】
【発明が解決しようとする課題】
【０００５】
しかしながら、上述した特許文献１では、上述した特許文献２の光学照準部を用いて撮影することが考慮されていないため、光学照準部と撮像装置とがそれぞれが個別に制御されることで、光学照準部に適した撮影を行うことができなかった。【０００６】
本発明は、上記に鑑みてなされたものであって、光学照準部に適した撮影を行うことができる撮像装置、撮像方法およびプログラムを提供することを目的とする。
【課題を解決するための手段】
【０００７】
上述した課題を解決し、目的を達成するために、本発明にかかる撮像装置は、被写体と対向する前面側に設けられた撮像光学系を介して視野領域から集光した光を受光して画像データを生成する撮像素子を備えた撮像装置であって、前記撮像光学系が集光する視野領域からの光を透過するとともに、前記視野領域からの光を透過する領域に光ビームまたは照準マークの虚像を生じさせる光学照準部と、前記光学照準部が駆動した場合、前記光学照準部の駆動に対応した撮影制御で撮影を行う撮像制御部と、を備えたことを特徴とする。【０００８】
また、本発明にかかる撮像装置は、上記発明において、前記光学照準部を駆動する駆動信号の入力を受け付けるスイッチ部をさらに備え、前記撮像光学系は、焦点距離を変更可能なズームレンズと、前記ズームレンズを前記撮像光学系の光軸に沿って移動させるズーム駆動部と、を有し、前記撮像制御部は、前記スイッチ部から前記駆動信号が入力された場合、前記ズーム駆動部を駆動して前記ズームレンズを望遠位置に移動させて停止させることを特徴とする。【０００９】
また、本発明にかかる撮像装置は、上記発明において、前記スイッチ部は、前記光学照準部の駆動を停止する停止信号の入力をさらに受け付け、前記撮像制御部は、前記スイッチ部から前記停止信号が入力された場合、前記ズームレンズを前記望遠位置で停止させることを特徴とする。【００１０】
また、本発明にかかる撮像装置は、上記発明において、前記望遠位置に対応する焦点距離の設定を指示する指示信号の入力の入力を受け付ける入力部をさらに備えたことを特徴とする。【００１１】
また、本発明にかかる撮像装置は、上記発明において、前記光学照準部は、前記光ビームまたは照準マークを発光する光源部と、前記視野領域からの光を透過するとともに、前記光源部が発光した前記光ビームまたは照準マークを前記前面側と相反する背面側に向けて反射する光学素子と、を有することを特徴とする。【００１２】
また、本発明にかかる撮像装置は、上記発明において、少なくとも前記光学素子を当該撮像装置から遠ざかる方向へ移動可能に保持するとともに、前記光源部を前記撮像光学系の光軸と直交する垂直面において移動可能に保持する脚部と、前記脚部の先端に設けられ、前記視野領域に対して照明光を照射するフラッシュ発光部と、当該撮像装置がピントを自動的に合わせるオートフォーカス処理時に前記視野領域に対して補助光を照射する補助光発光部と、をさらに備え、前記撮像制御部は、前記光学照準部が駆動した場合、前記フラッシュ発光部の照明光および前記補助光発光部の前記補助光それぞれの照射を禁止することを特徴とする。【００１３】
また、本発明にかかる撮像装置は、上記発明において、前記脚部における前記光源部の位置を調整可能な光源調整部をさらに備えたことを特徴とする。【００１４】
また、本発明にかかる撮像装置は、上記発明において、前記脚部における前記光源部の位置を検出する位置検出部と、前記画像データに対応する画像を表示する表示部と、前記撮像光学系の現在の焦点距離を検出する焦点距離検出部と、前記位置検出部が検出した前記光源部の位置と前記焦点距離検出部が検出した前記焦点距離とを対応付けた情報を前記画像に重畳して前記表示部に表示させる表示制御部と、をさらに備えたことを特徴とする。【００１５】
また、本発明にかかる撮像装置は、上記発明において、当該撮像装置に生じる手ブレを検出する手ブレ検出部と、前記撮像素子および前記撮像光学系のいずれか一方を移動させて前記手ブレを抑制する手ブレ補正部と、をさらに備え、前記撮像制御部は、前記手ブレ検出部が検出した前記手ブレの検出結果に基づいて、前記手ブレ補正部の駆動制御を行うとともに、前記光学照準部が駆動した場合、前記手ブレ補正部の駆動をホールド（保持）させることを特徴とする。【００１６】
また、本発明にかかる撮像装置は、上記発明において、露光を開始する開始信号の入力を受け付けるレリーズスイッチをさらに備え、前記撮像制御部は、前記光学照準部が駆動した場合において、前記レリーズスイッチから前記開始信号が入力されたとき、前記手ブレ補正部を駆動させることを特徴とする。【００１７】
また、本発明にかかる撮像装置は、上記発明において、前記画像データに対応する画角内における被写体から当該撮像装置までの距離を検出する距離検出部をさらに備え、前記撮像制御部は、前記光学照準部が駆動した場合、前記距離検出部が検出した前記距離に基づいて、前記手ブレ補正部を駆動させて前記撮像素子を移動させることを特徴とする。【００１８】
また、本発明にかかる撮像装置は、上記発明において、前記画像データに対応する画像内における被写体の顔を検出する顔検出部をさらに備え、前記撮像制御部は、前記光学照準部が駆動した場合、前記手ブレ補正部を駆動することによって、前記顔検出部が検出した前記顔を含む領域が前記画像の中央に位置するように前記撮像素子を移動させることを特徴とする。【００１９】
また、本発明にかかる撮像装置は、上記発明において、前記撮像素子の位置を移動させる指示信号の入力を受け付ける入力部をさらに備え、前記撮像制御部は、前記光学照準部が駆動した場合、前記手ブレ補正部を駆動することによって、前記入力部が前記指示信号の入力を受けたとき、前記手ブレ補正部を駆動することによって、前記指示信号に応じた位置に前記撮像素子を移動させることを特徴とする。【００２０】
また、本発明にかかる撮像装置は、上記発明において、前記撮像素子が時間的に連続して生成する前記画像データに対応する画像間において移動する被写体を検出する被写体検出部をさらに備え、前記手ブレ検出部は、前記手ブレとして当該撮像装置の構え直しを検出し、前記撮像制御部は、前記手ブレ検出部が前記構え直しを検出した場合、前記被写体検出部が検出した前記被写体に応じて前記撮像素子を移動させて前記手ブレを抑制する撮影制御で撮影を行うことを特徴とする。【００２１】
また、本発明にかかる撮像装置は、上記発明において、前記撮像光学系を該撮像光学系の光軸上を移動させる駆動部をさらに備え、前記撮像制御部は、前記駆動部を駆動することによって、前記撮像光学系を移動させて前記撮像光学系のピント位置を調整するとともに、前記光学照準部が駆動した場合、前記ピント位置を前記画像データに対応する画像内における所定の領域に設定することを特徴とする。【００２２】
また、本発明にかかる撮像装置は、上記発明において、前記画像内における位置を指示する指示信号の入力を受け付ける入力部をさらに備え、前記所定の領域は、前記画像の中央領域または前記入力部が受け付けた前記指示信号に応じた位置を含む領域であることを特徴とする。【００２３】
また、本発明にかかる撮像装置は、上記発明において、前記画像データに対応する画像を表示可能な背面表示部と、前記画像データに対応する画像を表示可能な接眼表示部と、前記接眼表示部に近接する物体を検出する物体検出部と、前記物体検出部が前記物体を検出した場合、前記接眼表示部に前記画像を表示させる一方、前記物体検出部が前記物体を検出しない場合、前記背面表示部に前記画像を表示させる表示制御部と、を備え、前記撮像制御部は、前記光学照準部が駆動中に、前記物体検出部が前記物体を検出した場合、前記光学照準部の駆動を停止することを特徴とする。【００２４】
また、本発明にかかる撮像装置は、上記発明において、前記光学照準部は、前記光ビームまたは照準マークを発光する光源部と、前記視野領域からの光を透過するとともに、前記光源部が出射した前記光ビームまたは照準マークを前記前面側と相反する背面側に向けて反射する光学素子と、を有することを特徴とする。【００２５】
また、本発明にかかる撮像装置は、上記発明において、少なくとも前記光学素子を当該撮像装置から遠ざかる方向へ移動可能に保持する脚部をさらに備えたことを特徴とする。【００２６】
また、本発明にかかる撮像装置は、上記発明において、前記脚部は、基端部が当該撮像装置に回転可能に軸支され、前記光源部は、当該撮像装置または前記脚部に設けられ、前記光学照準部は、当該撮像装置に対して回動可能に前記光学素子を支持する支持部を有することを特徴とする。【００２７】
また、本発明にかかる撮像装置は、上記発明において、前記脚部の先端部に設けられ、前記視野領域に対して照明光を照射するフラッシュ発光部をさらに備え、前記光学素子は、当該撮像装置と前記フラッシュ発光部との間に設けられていることを特徴とする。【００２８】
また、本発明にかかる撮像方法は、被写体と対向する前面側に設けられた撮像光学系を介して視野領域から集光した光を受光して画像データを生成する撮像素子と、前記撮像光学系が集光する視野領域からの光を透過するとともに、前記視野領域からの光を透過する領域に光ビームまたは照準マークの虚像を生じさせる光学照準部と、を備えた撮像装置が実行する撮像方法であって、前記光学照準部が駆動した場合、前記光学照準部の駆動に対応した撮影制御で撮影を行う撮像制御ステップを含むことを特徴とする。【００２９】
また、本発明にかかるプログラムは、被写体と対向する前面側に設けられた撮像光学系を介して視野領域から集光した光を受光して画像データを生成する撮像素子と、前記撮像光学系が集光する視野領域からの光を透過するとともに、前記視野領域からの光を透過する領域に光ビームまたは照準マークの虚像を生じさせる光学照準部と、を備えた撮像装置に、前記光学照準部が駆動した場合、前記光学照準部の駆動に対応した撮影制御で撮影を行う撮像制御ステップを実行させることを特徴とする。
【発明の効果】
【００３０】
本発明によれば、光学照準部が駆動した場合、撮像制御部が光学照準部の駆動に対応した撮影制御で撮影を行うので、光学照準部に適した撮影を行うことができるという効果を奏する。
【図面の簡単な説明】
【００３１】
【図１】図１は、本発明の実施の形態１にかかる撮像装置の機能構成を示すブロック図である。
【図２】図２は、本発明の実施の形態１にかかる撮像装置の脚部が本体部からポップアップした状態の正面図である。
【図３】図３は、本発明の実施の形態１にかかる撮像装置の脚部が本体部からポップアップした際の部分断面図である。
【図４】図４は、本発明の実施の形態１にかかる撮像装置の脚部が本体部に収容された際の側面図である。
【図５】図５は、本発明の実施の形態１にかかる撮像装置の脚部が本体部に収容された際のカバー部材の状態を模式的に示す上面図である。
【図６】図６は、本発明の実施の形態１にかかる撮像装置の脚部が本体部からポップアップした際のカバー部材の状態を模式的に示す上面図である。
【図７】図７は、本発明の実施の形態１にかかる撮像装置の接眼表示部を用いて被写体のフレーミングを確認しながら撮影を行う際の状況を模式的に示す図である。
【図８】図８は、本発明の実施の形態１にかかる撮像装置の背面表示部を用いて被写体のフレーミングを確認しながら撮影を行う際の状況を模式的に示す図である。
【図９】図９は、本発明の実施の形態１にかかる撮像装置の光学照準部を用いて被写体のフレーミングを確認しながら撮影を行う際の状況を模式的に示す図である。
【図１０】図１０は、本発明の実施の形態１にかかる撮像装置が実行する処理の概要を示すフローチャートである。
【図１１】図１１は、図１０の第１撮影モード処理の概要を示すフローチャートである。
【図１２】図１２は、図１０の第２撮影モード処理の概要を示すフローチャートである。
【図１３】図１３は、本発明の実施の形態１にかかる撮像装置の光学照準部および背面表示部を用いて撮影者が被写体を撮影する際の状況を模式的に示す図である。
【図１４】図１４は、図１３に示す状況下において、被写体に対するズーム光学系と光学照準部との視差を模式的に示す図である。
【図１５】図１５は、スライド操作に応じて背面表示部が表示する画像の一例を示す図である。
【図１６】図１６は、本発明の実施の形態１にかかる撮像装置が備える撮像素子の移動を模式的に示す図である。
【図１７】図１７は、本発明の実施の形態１にかかる撮像装置の光学照準部で被写体を照準しながら撮影する際の状況を模式的に示す図である。
【図１８】図１８は、本発明の実施の形態１にかかる撮像装置の手ブレ補正部が駆動している場合において、光学照準部で被写体を照準しながら撮影するときの視野領域のズレを模式的に示す図である。
【図１９】図１９は、本発明の実施の形態１にかかる撮像装置の手ブレ補正時における撮像素子の移動を模式的に示す図である。
【図２０】図２０は、図１２の第３撮影モード処理の概要を示すフローチャートである。
【図２１】図２１は、本発明の実施の形態１の変形例にかかる撮像装置のレンズ手ブレ補正部による手ブレ補正時のズーム光学系の移動を模式的に示す図である。
【図２２】図２２は、図１の光源部を含む光源調整部の構成を示す斜視図である。
【図２３】図２３は、本発明の実施の形態２にかかる撮像装置の機能構成を示すブロック図である。
【図２４】図２４は、図２３に示すカスタム情報記録部が記録するカスタム情報の一部を示す図である。
【図２５】図２５は、本発明の実施の形態２にかかる撮像装置が実行する処理の概要を示すフローチャートである。
【図２６】図２６は、図２５の第一起動動作処理の概要を示すフローチャートである。
【図２７】図２７は、図２５の第二起動動作処理の概要を示すフローチャートである。
【図２８】図２８は、図２５のカスタム情報設定処理の概要を示すフローチャートである。
【図２９】図２９は、図２５の特殊効果設定処理の概要を示すフローチャートである。
【図３０】図３０は、本発明の実施の形態２にかかる撮像装置の背面表示部が表示する画像の一例を示す図である。
【発明を実施するための形態】
【００３２】
以下、図面を参照して、本発明を実施するための形態（以下、「実施の形態」という）について説明する。また、以下の実施の形態により、本発明が限定されるものではない。さらに、図面の記載において、同一の部分には同一の符号を付して説明する。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００３３】
（実施の形態１）
〔撮像装置の構成〕
図１は、本発明の実施の形態１にかかる撮像装置の機能構成を模式的に示すブロック図である。図１に示す撮像装置１は、本体部２と、本体部２に着脱自在であり、所定の視野領域から光を集光するとともに、光学ズームが可能なレンズ部３と、レンズバリア機構４と、を備える。
【００３４】
〔本体部の構成〕
まず、本体部２について説明する。本体部２は、シャッタ２０１と、シャッタ駆動部２０２と、撮像素子２０３と、撮像素子駆動部２０４と、手ブレ補正部２０５と、信号処理部２０６と、Ａ／Ｄ変換部２０７と、画像処理部２０８と、ＡＥ処理部２０９と、ＡＦ処理部２１０と、画像圧縮展開部２１１と、脚部２１２と、ポップアップスイッチ部２１３と、接眼表示部２１４と、アイセンサ２１５と、背面表示部２１６と、入力部２１７と、手ブレ検出部２１８と、時計２１９と、記録媒体２２０と、ＳＤＲＡＭ（Synchronous  Dynamic  Random  Access  Memory）２２１と、Ｆｌａｓｈメモリ２２２と、本体通信部２２３と、バス２２４と、本体制御部２２５と、光源調整部７００と、を備える。
【００３５】
シャッタ２０１は、撮像素子２０３の状態を露光状態または遮光状態に設定する。シャッタ２０１は、レンズシャッタまたはフォーカルプレーンシャッタを用いて構成される。
【００３６】
シャッタ駆動部２０２は、本体制御部２２５から入力される指示信号に応じてシャッタ２０１を駆動する。シャッタ駆動部２０２は、ステッピングモータやＤＣモータ等を用いて構成される。
【００３７】
撮像素子２０３は、レンズ部３が集光した光を受光して光電変換を行うことによって電子的な画像データを生成する。具体的には、撮像素子２０３は、レンズ部３が集光した光を受光して電気信号に変換するＣＣＤ（Charge  Coupled  Device）またはＣＭＯＳ（Complementary  Metal  Oxide  Semiconductor）等を用いて構成され、被写体の画像データを生成する。撮像素子２０３は、レンズ部３の光軸Ｏ１上に光軸Ｏ１と直交するように配置される。
【００３８】
撮像素子駆動部２０４は、所定のタイミングで撮像素子２０３から画像データ（アナログ信号）を信号処理部２０６へ出力させる。具体的には、撮像素子駆動部２０４は、所定のタイミングで撮像素子２０３に対して、まず、各画素の露光（光電変換）を開始と終了とを制御する。そして、撮像素子駆動部２０４は、撮像素子２０３の露光（光電変換）終了後に、各画素で光電変換された信号出力（電荷両出力または電圧出力）から画像データ（アナログ信号）を信号処理部２０６へ出力させる。このように、撮像素子２０３は、各画素を撮像素子駆動部２０４からの制御信号に基づいて、露光制御を行う。撮像素子駆動部２０４は、電子シャッタとして機能する。
【００３９】
また、撮像素子駆動部２０４は、本体制御部２２５の制御のもと、撮像素子２０３に対して、所定のフレームレート（例えば３０ｆｐｓまたは６０ｆｐｓ：（frame  per  second））で露光の開始と終了とを繰り返し実行させることによって、撮像素子２０３で撮像された画像データを出力させる。さらに、撮像素子駆動部２０４は、本体制御部２２５の制御のもと、撮像素子２０３に含まれる２次元上に配置される画素のうち、行方向の画素列である所定の画素ライン出力、例えば偶数の画素ライン出力や奇数の画素ライン出力を間引くことで、撮像素子２０３に高速フレームレート（例えば１２０ｆｐｓ）で画像データを信号処理部２０６に出力させる。
【００４０】
手ブレ補正部２０５は、手ブレ検出部２１８の検出結果に基づいて、撮像素子２０３を保持するとともに、撮像素子２０３を移動させて撮像装置１の姿勢変化によって生じる像移動の手ブレを抑制する。具体的には、手ブレ補正部２０５は、撮影時における撮影者の手ブレを補正するため、撮像素子２０３をＸ軸方向、Ｙ軸方向それぞれの方向へ並進移動と、Ｚ軸周りの回転方向への回動させるように、撮像素子２０３を機械的に移動させる。例えば、手ブレ補正部２０５は、撮像素子２０３をレンズ部３の光軸Ｏ１に直交するＸＹ平面、レンズ部３の光軸Ｏ１と平行をなすＸＺ平面およびレンズ部３の光軸Ｏ１と平行をなすＹＺ平面を回転または移動させることによって、撮像装置１に生じる手ブレを補正する。
【００４１】
ここで、手ブレとは、撮影者が撮像装置１を用いて撮影する際に撮像装置１に生じる姿勢変化である。この姿勢変化によって、被写体からレンズ部３によって結像される位置が移動するため、撮影された画像データは、像ブレが生じて解像度が低下することが知られている。手ブレ補正部２０５は、撮像素子２０３を保持する可動枠の質量が大きい保持枠および並進方向へ移動、および回動させるための複数のアクチュエータ、例えば電磁型等のボイスコイルモータ、圧電素子および高分子材料のいずれかを用いて構成される。
【００４２】
信号処理部２０６は、本体制御部２２５の制御のもと、撮像素子２０３から入力される画像データに対して、ＣＤＳ回路（図示せず）によるリセットノイズ低減処理、被写体輝度に対して、階調補正するための波形整形処理およびゲインアップ処理等のアナログ信号処理を施してＡ／Ｄ変換部２０７へ出力する。
【００４３】
Ａ／Ｄ変換部２０７は、信号処理部２０６から入力されるアナログの画像データに対してＡ／Ｄ変換を行うことによってデジタルの画像データ（ＲＡＷデータ）を生成し、バス２２４を介してＳＤＲＡＭ２２１へ出力する。
【００４４】
画像処理部２０８は、バス２２４を介してＳＤＲＡＭ２２１から画像データ（ＲＡＷデータ）を取得し、取得した画像データに対して各種の画像処理を施してＳＤＲＡＭ２２１へ出力する。ここで、画像処理としては、遮光時の画素出力のオフセット量を補正するオプティカルブラック低減処理、被写体像の白色画像出力を補正するホワイトバランス調整処理、画像データの色空間を変換するカラーマトリクス演算処理、ガンマ補正処理、色再現処理、エッジ強調処理、複数の画像データを合成する合成処理および撮像素子２０３がベイヤー配列の場合には画像データの同時化処理等である。
【００４５】
ＡＥ処理部２０９は、バス２２４を介してＳＤＲＡＭ２２１に記録された画像データを取得し、取得した画像データに基づいて、撮像装置１が静止画撮影または動画撮影を行う際の露出条件を設定する。具体的には、ＡＥ処理部２０９は、画像データから輝度を算出し、算出した輝度に基づいて、例えば絞り値、シャッタ速度およびＩＳＯ感度等を決定することで撮像装置１の自動露出を行う。
【００４６】
ＡＦ処理部２１０は、バス２２４を介してＳＤＲＡＭ２２１に記録された画像データを取得し、取得した画像データに基づいて、撮像装置１の焦点の調整を行う。例えば、ＡＦ処理部２１０は、画像データから高周波成分の信号を取り出し、高周波成分の信号に対してＡＦ（Auto  Focus）演算処理を行うことによって、撮像装置１の合焦評価を決定することで撮像装置１の焦点の調整を自動で行う。なお、ＡＦ処理部２１０は、瞳分割位相差法または撮像素子２０３の所定の画素成分（ＡＦ画素）を用いて撮像装置１の焦点の調整を自動で行ってもよい。
【００４７】
画像圧縮展開部２１１は、バス２２４を介してＳＤＲＡＭ２２１から画像データを取得し、取得した画像データに対して所定の形式に従って圧縮し、この圧縮した画像データをメモリＩ／Ｆ（図示せず）を介して記録媒体２２０へ出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部２１１は、バス２２４を介して記録媒体２２０に記録された画像データ（圧縮画像データ）を取得し、取得した画像データを展開（伸長）してＳＤＲＡＭ２２１へ出力する。
【００４８】
脚部２１２は、撮像装置１の視野領域に向けて照明光を照射するフラッシュ発光部４００と、撮像装置１の視野領域内における所望の被写体に照準するための光ビームまたは照準マークを発光する光学照準部５００と、脚部２１２を本体部２からポップアップさせるためのポップアップ部６００と、光源調整部７００と、を有する。
【００４９】
ここで、脚部２１２の構成について詳細に説明する。図２は、脚部２１２が本体部２からポップアップした状態の正面図である。図３は、脚部２１２が本体部２からポップアップした際の部分断面図である。図４は、脚部２１２が本体部２に収容された際の側面図である。
【００５０】
図２〜図４に示すように、脚部２１２は、本体部２に対して回動可能に本体部２に軸支される。具体的には、脚部２１２は、本体部２のレリーズスイッチ２１７ｂ等が配置された本体部２の上面であって、本体部２の上面の左右方向を通過する第１軸Ｒ１に下端（基端部）が連結されることによって、本体部２に対して回動可動に本体部２に軸支される。
【００５１】
脚部２１２は、トレイ状をなし、内部に光学照準部５００を保持する脚下部２１２ａと、脚下部２１２ａの内面側と対向するように繋ぎ合わされて脚下部２１２ａとともに略筐体をなす脚上部２１２ｂと、撮像装置１の視野領域に対して照明光を照射するフラッシュ発光部４００と、光ビームまたは照準マークの虚像を撮像装置１の視野領域内または視野領域付近に生じさせる光学照準部５００と、脚部２１２を本体部２に係止するとともに、外部からの力に応じて脚部２１２を本体部２から離間させるポップアップ部６００と、を有する。
【００５２】
フラッシュ発光部４００は、脚部２１２の先端部に設けられ、撮像装置１の視野領域に向けて照明光（フラッシュ）を照射する。フラッシュ発光部４００は、脚部２１２が本体部２からポップアップした状態（起立状態）において、本体部２から離間した位置に配置される。フラッシュ発光部４００は、脚部２１２が本体部２からポップアップした状態で、本体制御部２２５の制御のもと、撮像装置１の視野領域に向けて照明光を照射する。フラッシュ発光部４００は、ＬＥＤやＬＥＤ駆動ドライバ等を用いて構成される。
【００５３】
光学照準部５００は、撮像装置１の視野領域に向けて光ビームまたは照準マークを出射して撮像装置１の前面側と相反する背面側に向けて反射することによって、撮像装置１の視野領域であって、光学照準部５００を透過する光の視野領域に光ビームまたは照準マークの虚像を生じさせる。光学照準部５００は、光ビームまたは照準マークを撮像装置１の視野領域に向けて発光する光源部５０１と、撮像装置１の視野領域からの光を透過するとともに、光源部５０１が発光した光ビームまたは照準マークを撮像装置１の背面側に向けて反射する光学素子５０２と、光学素子５０２を本体部２に対して回動可能に支持する支持部５０３と、光学素子５０２を通過する線と交差する位置に設けられ、光学素子５０２を保護するカバー部材５０４ａが被写体側に向けて開閉可能に形成された開口部５０４と、を有する。
【００５４】
光源部５０１は、赤色の光ビームまたは照準マークを発光するＬＥＤおよびＬＥＤドライバ等を用いて構成され、光学素子５０２に向けて光ビームまたは照準マークを発光する。光源部５０１は、光学素子５０２と所定の角度をなすように脚部２１２の下部に設けられ、光ビームまたは照準マークを被写体側の斜め上方に向けて発光する。なお、光源部５０１は、光学素子５０２と所定の角度をなすように本体部２に設けてもよい。さらに、光源部５０１は、複数のＬＥＤが２次元的に設けられたＬＥＤアレイで構成されてもよい。
【００５５】
光学素子５０２は、ハーフミラーまたは特定の波長の光、例えば赤色光のみを反射する誘電多層膜が設けられたミラーによって構成される。また、光学素子５０２は、撮像装置１の視野領域からの光を透過するとともに、光源部５０１が発散した光束を背面側に向けて反射することによって、光源部５０１が発光した光ビームまたは照準マークの虚像を撮像装置１の視野領域であって、光学素子５０２を透過した光の領域に生じさせる。光学素子５０２は、脚部２１２が本体部２からポップアップした際に、背面側に設けて湾曲する放物面あるいはそれに近似した球面５０２ａを有する。
【００５６】
支持部５０３は、本体部２の上面の左右方向を通過する第２軸Ｒ２に下端が連結され、第２軸Ｒ２を回転軸として回動可能な１対の第１リンク５０３ａと、第１リンク５０３ａの上端部と連結され、第１リンク５０３ａに対し、下端部の連結箇所を通過し、第２軸Ｒ２と平行な第３軸Ｒ３を回転軸として回動可能であるとともに、脚部２１２の左右方向を通過し、第２軸Ｒ２および第３軸Ｒ３に連結され、第４軸Ｒ４を回転軸として回動可能な１対の第２リンク５０３ｂと、を有する。第２リンク５０３ｂは、内部の両端で光学素子５０２を支持する。第１リンク５０３ａは、内部の両端で第２リンク５０３ｂを支持する。
【００５７】
開口部５０４は、被写体側に向けて開閉可能なカバー部材５０４ａを有し、光学素子５０２を通過する線と交差する位置に設けられる。具体的には、開口部５０４は、フラッシュ発光部４００と本体部２との間に設けられる。開口部５０４は、脚部２１２がポップアップした際に、カバー部材５０４ａが開扉する。さらに、開口部５０４は、脚部２１２が本体部２に収容された際（ポップダウン状態）に、カバー部材５０４ａが光学照準部５００を外部からの外力から保護する。
【００５８】
図５は、脚部２１２が本体部２に収容された際のカバー部材５０４ａの状態を模式的に示す上面図である。図６は、脚部２１２が本体部２からポップアップした際のカバー部材５０４ａの状態を模式的に示す上面図である。
【００５９】
図５および図６に示すように、カバー部材５０４ａは、開口部５０４に対して被写体側に向けて開閉可能に設けられ、脚部２１２が本体部２からポップアップした際に、被写体側に向けて開扉する。これにより、撮影者は、開口部５０４および光学素子５０２を介して撮像装置１の視野領域を視認することができるとともに、光学素子５０２を介して光学照準部５００が照射する光ビームまたは照準マークの虚像を被写体に合わせることによって、被写体にフレーミングすることができる。
【００６０】
ポップアップ部６００は、電磁石等を用いて構成され、本体制御部２２５の制御のもと、脚部２１２を本体部２から遠ざかる方向であって、本体部２から離間する方向へポップアップ（離間）させる。
【００６１】
光源調整部７００は、撮像装置１と被写体との距離に応じて変化するレンズ部３の光軸Ｏ１と光学照準部５００が発光する光ビームまたは照準マークとの間の視差（パララックス）の影響をなくすために、撮影者の操作に応じて光源部５０１の位置を調整することによって、光源部５０１が発光する光ビームまたは照準マークの位置を調整する。また、光源調整部７００は、レンズ部３の光軸Ｏ２から離間し、かつ上方側に位置しているため光源部５０１を本体部２に対して上下方向に移動させることによって、撮像装置１と被写体との距離に応じて変化するレンズ部３の光軸Ｏ１と光学照準部５００が発光する光ビームまたは照準マークとの間の視差を補正することができる。
【００６２】
[光源調整部の構成]
ここで、光源調整部７００の詳細な構成について説明する。図２２は、光源部５０１を含む光源調整部７００の構成を示す斜視図である。
【００６３】
図２２に示すように、光源調整部７００は、光源保持部７０１と、支持軸７０２と、圧縮コイルバネ７０３と、カム７０４と、ボール７０５ａおよび押圧部材７０５ｂ（例えば、圧縮コイルバネ）で構成されたクリック部７０５ｃを有するツマミ７０５と、光源部５０１の位置を検出する変位量検出部７０６と、を備える。
【００６４】
光源保持部７０１は、基端部７０１ａにおいてＸ軸と略平行な支持軸７０２の回りに回動可能に配置されている。光源保持部７０１は、支持軸７０２から後方に向かって延出しており、先端部７０１ｂにおいて光源部５０１を保持している。また、光源保持部７０１は、カムフォロア７０１ｃが設けられている。カムフォロア７０１ｃは、カム７０４と当接する部位である。さらに、光源保持部７０１は、カムフォロア７０１ｃが常にカム７０４に当接した状態になるように圧縮コイルバネ７０３によってカム７０４に近づくように付勢されている。
【００６５】
カム７０４は、Ｘ軸と略平行な軸回りに回動し、カム７０４の回動に伴いカムフォロア７０１ｃと当接するカム面と回動軸７０７との距離が変化するように形成されている。また、カム７０４は、回動することによって、光源保持部７０１が支持軸７０２の回りに回動する。カム７０４は、ツマミ７０５の回動に従って回動する。
【００６６】
ツマミ７０５は、本体部２の外面に配置され（図３を参照）、撮影者が触れることができる位置に配置されたダイヤル状の回転する操作部材である。ツマミ７０５は、光源部５０１の左方において、Ｘ軸と略平行な軸回りに回転可能に配置されている。また、ツマミ７０５は、クリック部７０５ｃにより、回転範囲が規制されている。本実施の形態１では、ツマミ７０５の回動は、複数の平歯車（例えば、２段の第１平歯車７０５ｄおよび第２平歯車７０５ｅ）からなる減速機構７０８を介してカム７０４に伝達される。さらに、ツマミ７０５には、光源部５０１の変位量を検出する変位量検出部７０６が設けられている。具体的には、第２平歯車７０５ｅの側壁面に変位量検出部７０６の一部が設けられている。
【００６７】
変位量検出部７０６は、第２平歯車７０５ｅの側壁面に明暗パターン（または凹凸面形成）であって、ツマミ７０５の回転による所定のクリック数に併せて相互に配列した等ピッチ間隔を有する反射部材７０６ａが所定の位置に形成または接着剤で貼付されたパターンシートが設けられている。また、変位量検出部７０６は、反射部材７０６ａに対向する所定の本体部２の位置に位置検出部７０６ｂが配置されている。位置検出部７０６ｂは、発光素子および受光素子が一体的に形成されたフォトリフレクタを用いて構成される。即ち、変位量検出部７０６は、第２平歯車７０５ｅの回動による反射部材７０６ａの移動を位置検出部７０６ｂ（フォトリフレクタ）によってツマミ７０５の原点（初期）検出と第１平歯車７０５ｄの位置を検出することで、減速機構７０８およびカム７０４を介して光源部５０１の上下方向の変位量を検出する。なお、変位量検出部７０６は、明暗パターンに換えて、磁性部材を用いて構成した第１平歯車７０５ｄの凹凸面によって形成する場合、この磁性部材に対向して本体部２にホール素子と永久磁石が結合された位置検出器を用いて磁気的に位置を検出してもよい。なお、変位量検出部７０６が本実施の形態１にかかる位置検出部として機能する。この場合、ホール素子の位置検出で、ツマミ７０５の回転する位置を検出し、フォトリフレクタで原点（初期）位置を検出する位置検出の組み合わせが可能とすることは勿論である。
【００６８】
このように光源調整部７００は、ツマミ７０５を回動させることによって、光源保持部７０１が支持軸７０２周りに回動し、光源部５０１が本体部２に対して上下方向に移動する。さらに、光源調整部７００は、撮影者による操作に応じてツマミ７０５の回動に応じて、光源部５０１が停止した位置を変位量検出部７０６によって検出し、この検出結果を本体制御部２２５へ出力する。
【００６９】
図１に戻り、撮像装置１の構成の説明を続ける。
ポップアップスイッチ部２１３は、検出部２１３ａと、スイッチ部２１３ｂと、を有する。
【００７０】
検出部２１３ａは、脚部２１２が本体部２からポップアップしているか否かを検出し、この検出結果を本体制御部２２５へ出力する。検出部２１３ａは、接触センサ等を用いて構成される。
【００７１】
スイッチ部２１３ｂは、光学照準部５００を駆動する駆動信号または光学照準部５００を停止する停止信号の入力を受け付け、この駆動信号または停止信号を本体制御部２２５へ出力する。
【００７２】
接眼表示部２１４は、本体制御部２２５の制御のもと、バス２２４を介してＳＤＲＡＭ２２１に記録された画像データに対応する画像を表示するとともに、撮像装置１の操作に関する情報、例えば絞り値、シャッタスピードおよびフォーカスエリア等の画像に重畳して表示する。接眼表示部２１４は、液晶または有機ＥＬ（Electro  Luminescence）からなる表示パネルおよび駆動ドライバ等を用いて構成される。
【００７３】
アイセンサ２１５は、接眼表示部２１４に対する物体、例えば撮影者の近接を検出し、この検出結果を本体制御部２２５へ出力する。アイセンサ２１５は、接触センサや赤外線センサ等を用いて構成される。なお、本実施の形態では、アイセンサ２１５が物体検出部として機能する。
【００７４】
背面表示部２１６は、本体制御部２２５の制御のもと、画像データに対応する画像を表示する。背面表示部２１６は、液晶または有機ＥＬ等からなる表示パネルおよび表示駆動ドライバ等を用いて構成される。ここで、画像の表示には、撮影直後の画像データを所定時間（例えば３秒）だけ表示する確認表示（レックビュー表示）、記録媒体２２０に記録された画像データを再生する再生表示、および撮像素子２０３が時間的に連続して生成する画像データに対応するライブビュー画像を時系列に沿って順次表示するライブビュー表示等が含まれる。また、背面表示部２１６は、撮像装置１の操作情報および撮影に関する情報を適宜表示する。
【００７５】
入力部２１７は、撮像装置１の電源状態をオン状態またはオフ状態に切り替える電源スイッチ２１７ａと、静止画撮影の指示を与える静止画レリーズ信号の入力を受け付けるレリーズスイッチ２１７ｂと、撮像装置１の各種設定を切り替えるモードスイッチ２１７ｃと、撮像装置１の各種設定を背面表示部２１６に表示させるメニュースイッチ２１７ｄと、動画撮影の指示を与える動画レリーズ信号の入力を受け付ける動画スイッチ２１７ｅと、記録媒体２２０に記録された画像データを再生する指示信号の入力を受け付ける再生スイッチ２１７ｆと、背面表示部２１６の表示画面に重畳して設けられ、外部からの接触位置に応じた位置信号の入力を受け付けるタッチパネル２１７ｇと、を有する。レリーズスイッチ２１７ｂは、外部からの押圧により進退可能であり、半押しされた場合に撮影準備動作を指示する指示信号のファーストレリーズ信号（以下、「１ｓｔ」という）の入力を受け付ける一方、全押しされた場合に静止画撮影を指示するセカンドレリーズ信号（以下、「２ｎｄ」という）の入力を受け付ける。
【００７６】
手ブレ検出部２１８は、撮像装置１の姿勢変化によって生じる像移動の手ブレを検出する。具体的には、手ブレ検出部２１８は、撮像装置１に生じる姿勢変化に伴う加速度および角速度を検出することによって、撮像装置１に生じる姿勢変化量を検出し、この検出結果を本体制御部２２５へ出力する。
【００７７】
ここで、撮像装置１の姿勢（例えば、標準姿勢（いわゆる横位置））において、撮像装置１の水平方向をＸ方向とする。この正のＸ方向は、被写体側から撮像装置１を見て右方向とする。さらに、撮像装置１の垂直方向をＹ方向とする。ここに、正のＹ方向は、撮像装置１の標準姿勢における上方向とする。このような座標系において、手ブレ検出部２１８は、Ｚ軸（レンズ部３の光軸Ｏ１）周りの回転運動をロール（Roll）、Ｘ軸周りの回転運動をピッチ（Pitch）の正方向回転、原点からＸ軸正方向に見たときのＺ軸周りの左回転をロールの正方向回転、原点からＹ軸正方向を見たときのＹ軸周りの右回転をヨー（Yaw）の正方向回転として検出する。後述するレンズ部３のレンズ手ブレ補正部３１０および手ブレ補正部２０５は、手ブレ検出部２１８による検出結果（検出信号）に基づいて、後述するレンズ部３の補正レンズ３１５および撮像素子２０３をそれぞれ光軸Ｏ１の直交方向に移動させ、手振れ補正の制御を行う。例えば、手ブレ検出部２１８は、撮影者が撮像装置１を用いて撮影する際の姿勢変化に伴うＸ、ＹおよびＺ各軸の加速度Ｘ軸、Ｙ軸およびＺ軸を回転軸とする回転方向であるピッチ方向、ヨー方向およびロール方向の角速度を姿勢変化量として検出する。
【００７８】
また、手ブレ検出部２１８は、各軸方向の加速度成分をそれぞれ検出する３軸の加速度センサおよび回転方向であるピッチ、ヨーおよびロール方向の角速度をそれぞれ検出するジャイロセンサ等を用いて構成される。さらに、手ブレ検出部２１８は、撮影者による撮像装置１の構え直しを検出する。具体的には、手ブレ検出部２１８は、Ｘ、ＹおよびＺ各軸の加速度とＸ軸、Ｙ軸、およびＺ軸を回転軸とする回転方向であるピッチ、ヨー、ロール方向の角速度の検出出力が変化することによって、撮影者が撮像装置１の構え直しをした際に特有の姿勢変化量があるか無いかを検出する。例えば、構え直しでは、撮像装置１に対して、通常の手ブレによる姿勢変化よりも、大きな姿勢変化を生じる。このため手ブレ検出部２１８の加速度および角速度出力の各々は、通常の手ブレ補正でおこりうる加速度、および角速度出力よりも大きな出力が検出される。ここでは、所定の加速度、および角速度出力の閾値よりも、大きな加速度、および角速度出力が検出された場合に、撮影者が撮像装置１に対して構え直しがされたと推定することで、構え直しの有無を検出する。
【００７９】
さらにまた、手ブレ検出部２１８の検出出力によっては、撮影者による撮像装置１の構え直しがあると判別され、その上でアイセンサ２１５が物体（撮影者）を検出した際に、撮影者によって撮像装置１の構え直しとして検出する。ここで、構え直しとは、撮影者が光学照準部５００または背面表示部２１６で被写体に対する構図を決めた後に、接眼表示部２１４で被写体の構図を確認することである。もちろん、撮影者側をモニタ可能（例えば、２軸ヒンジなどを使用した回転移動する液晶表示および接眼表示部を有する撮像装置や画面反転切り換え用を検出する（ホール素子と磁石の組み合わせ）センサ等を設け、この撮像装置やセンサから出力される出力結果を用いてもよい。
【００８０】
また、手ブレ検出部２１８は、撮影者による撮像装置１の構え直しを検出する。具体的には、手ブレ検出部２１８は、アイセンサ２１５が物体（撮影者）を検出した際に、撮影者によって撮像装置１の構え直しとして検出する。ここで、構え直しとは、撮影者が光学照準部５００または背面表示部２１６で被写体に対する構図を決めた後に、接眼表示部２１４で被写体の構図を確認することである。もちろん、撮影者側をモニタする撮像装置やセンサ等を設け、この撮像装置やセンサから出力される出力結果を用いてもよい。
【００８１】
時計２１９は、計時機能および撮影日時の判定機能を有する。時計２１９は、撮像素子２０３によって撮像された画像データに日時データを付加するため、日時データを本体制御部２２５へ出力する。
【００８２】
記録媒体２２０は、撮像装置１の外部から装着されるメモリカード等を用いて構成される。記録媒体２２０は、メモリＩ／Ｆ（図示せず）を介して撮像装置１に着脱自在に装着される。記録媒体２２０には、ＲＡＷデータ、および画像処理部２０８または画像圧縮展開部２１１が処理を施した画像データが書き込まれる。また、記録媒体２２０は、本体制御部２２５によって記録された画像データが読み出される。
【００８３】
ＳＤＲＡＭ２２１は、バス２２４を介してＡ／Ｄ変換部２０７から入力される画像データ、画像処理部２０８から入力される画像データおよび撮像装置１の処理中の情報を一時的に記録する。例えば、ＳＤＲＡＭ２２１は、信号処理部２０６、Ａ／Ｄ変換部２０７およびバス２２４を介して撮像素子２０３が１フレーム毎に順次出力する画像データを一時的に記録する。
【００８４】
Ｆｌａｓｈメモリ２２２は、プログラム記録部２２２ａを有する。プログラム記録部２２２ａは、撮像装置１を動作させるための各種プログラムおよびプログラムの実行中に使用される各種データおよび画像処理部２０８による画像処理の動作に必要な各画像処理のパラメータ等を記録する。
【００８５】
本体通信部２２３は、本体部２に装着されるレンズ部３との通信を行うための通信インターフェースである。本体通信部２２３には、レンズ部３との電気的な接点も含まれる。
【００８６】
バス２２４は、撮像装置１の各構成部位を接続する伝送路等を用いて構成される。バス２２４は、撮像装置１の内部で発生した各種データを撮像装置１の各構成部に転送する。
【００８７】
本体制御部２２５は、入力部２１７からの指示信号に応じて撮像装置１を構成する各部に対する指示やデータの転送等を行って撮像装置１の動作を統括的に制御する。本体制御部２２５は、ＣＰＵ（Central  Processing  Unit）等を用いて構成される。
【００８８】
ここで、本体制御部２２５の詳細な構成について説明する。本体制御部２２５は、明るさ検出部２２５ａと、距離検出部２２５ｂと、顔検出部２２５ｃと、被写体検出部２２５ｄと、モード切換部２２５ｅと、照準制御部２２５ｆと、撮像制御部２２５ｇと、表示制御部２２５ｈと、を有する。
【００８９】
明るさ検出部２２５ａは、撮像素子２０３が生成した画像データに基づいて、撮像装置１の視野領域の明るさを検出する。具体的には、明るさ検出部２２５ａは、撮像素子２０３が生成した画像データに含まれる輝度成分に基づいて、撮像装置１の視野領域の明るさまたはレンズ部３のフォーカス領域の明るさを検出する。
【００９０】
距離検出部２２５ｂは、撮像素子２０３が生成した画像データに基づいて、撮像装置１から被写体までの距離を検出する。
【００９１】
顔検出部２２５ｃは、撮像素子２０３が生成した画像データに対応する画像内における被写体の顔を検出する。具体的には、顔検出部２２５ｃは、撮像素子２０３が生成した画像データに対応する画像内において、パターンマッチング等の周知技術を用いて被写体の顔を検出する。なお、顔検出部２２５ｃは、人物以外の顔、例えば犬や猫等の動物の顔を検出してもよい。
【００９２】
被写体検出部２２５ｄは、撮像素子２０３が生成した画像データに対応する画像内の被写体を検出する。具体的には、被写体検出部２２５ｄは、撮像素子２０３が連続的に生成する画像間において同一の被写体を検出する。例えば、被写体検出部２２５ｄは、パターンマッチング等により被写体の特徴点を検出し、この特徴点を含む領域（輪郭）を主要な被写体として検出する。ここで、特徴点とは、輝度、コントラストおよびカラーヒストグラムである。なお、被写体検出部２２５ｄは、レンズ部３のフォーカス領域に基づいて、画像内における検出領域内の被写体を検出してもよい。さらに、被写体検出部２２５ｄは、明るさ検出部２２５ａが検出した視野領域の明るさまたは距離検出部２２５ｂが検出した被写体までの距離に基づいて、被写体を検出してもよい。さらにまた、被写体検出部２２５ｄは、パターンマッチング等の周知技術を用いて、人（赤ちゃんを含む）または動物、例えば鳥、猫および犬を被写体として検出してもよい。なお、被写体検出部２２５ｄは、時間的に隣接する画像間において被写体を追尾してもよい。
【００９３】
モード切換部２２５ｅは、光学照準部５００が駆動した場合、撮像装置１の撮影モードを、撮像素子２０３が生成した画像データに基づいた撮影制御で撮影を行う第１撮影モードから光学照準部５００の駆動に対応した撮影制御で撮影を行う第２撮影モードに切り換える。具体的には、モード切換部２２５ｅは、手ブレ補正部２０５の駆動をホールドさせる第２撮影モードに切り換える。さらに、モード切換部２２５ｅは、手ブレ検出部２１８が所定の閾値以上の加速度を検出した場合、撮像装置１の撮影モードを第３モードに切り換える。
【００９４】
照準制御部２２５ｆは、光学照準部５００の駆動を制御する。例えば、照準制御部２２５ｆは、検出部２１３ａによって脚部２１２がポップアップしていると検出された場合、光源部５０１からの光ビームまたは照準マークを発光させる。さらに、照準制御部２２５ｆは、スイッチ部２１３ｂから光学照準部５００を駆動する駆動信号が入力された場合、光源部５０１からの光ビームまたは照準マークを発光させる一方、スイッチ部２１３ｂから光学照準部５００を停止する停止信号が入力された場合、光源部５０１からの光ビームまたは照準マークの発光を停止させる。
【００９５】
撮像制御部２２５ｇは、レリーズスイッチ２１７ｂから２ｎｄが入力された場合、撮像装置１における静止画撮影動作を開始する制御を行う。ここで、撮像装置１における撮影動作とは、シャッタ駆動部２０２および撮像素子駆動部２０４の駆動によって撮像素子２０３が出力した画像データに対し、信号処理部２０６、Ａ／Ｄ変換部２０７および画像処理部２０８が所定の処理を施す動作をいう。このように処理が施された画像データは、撮像制御部２２５ｇの制御のもと、画像圧縮展開部２１１で所定の形式に従って圧縮され、バス２２４を介して記録媒体２２０に記録される。
【００９６】
また、撮像制御部２２５ｇは、動画スイッチ２１７ｅから動画撮影レリーズ信号が入力された場合、撮像装置１における動画撮影動作を開始する制御を行う。さらに、撮像制御部２２５ｇは、手ブレ補正部２０５の駆動制御および／またはレンズ部３によるＡＦ処理の制御を行う。具体的には、撮像制御部２２５ｇは、光学照準部５００が駆動した場合、光学照準部５００の駆動に対応した撮影制御で撮影を行う。具体的には、撮像制御部２２５ｇは、モード切換部２２５ｅによって撮像装置１の撮影モードが第１撮影モードから第２撮影モードに切り換えられた場合、手ブレ補正部２０５の駆動をホールドする、および/または撮像装置１のピント位置を撮像素子２０３が生成する画像データに対応する画像内における中央に設定するＡＦ処理を実行させる。
【００９７】
表示制御部２２５ｈは、接眼表示部２１４または背面表示部２１６の表示態様を制御する。具体的には、表示制御部２２５ｈは、アイセンサ２１５が撮影者を検出した場合、撮像素子２０３が生成した画像データに対応するライブビュー画像を接眼表示部２１４に表示させる一方、アイセンサ２１５が撮影者を検出していない場合、撮像素子２０３が生成した画像データに対応するライブビュー画像を背面表示部２１６に表示させる。
【００９８】
以上の構成を有する本体部２に対して、音声入出力機能、フラッシュ機能および外部と双方向に通信可能な通信機能等を具備させてもよい。
【００９９】
〔レンズ部の構成〕
つぎに、レンズ部３について説明する。レンズ部３は、ズーム光学系３０１と、ズーム駆動部３０２と、ズーム位置検出部３０３と、絞り３０４と、絞り駆動部３０５と、絞り値検出部３０６と、フォーカス光学系３０７と、フォーカス駆動部３０８と、フォーカス位置検出部３０９と、レンズ手ブレ補正部３１０と、レンズ操作部３１１と、レンズＦｌａｓｈメモリ３１２と、レンズ通信部３１３と、レンズ制御部３１４と、を備える。なお、本実施の形態では、レンズ部３が撮像光学系として機能する。
【０１００】
ズーム光学系３０１は、一または複数のレンズを用いて構成され、レンズ部３の光軸Ｏ１上に沿って移動することにより、レンズ部３の光学ズームの倍率（画角）を変更する。例えば、ズーム光学系３０１は、焦点距離を１２ｍｍ〜６００ｍｍの間で変更することができる。
【０１０１】
ズーム駆動部３０２は、レンズ制御部３１４の制御のもと、ズーム光学系３０１を光軸Ｏ１上に沿って移動させることにより、撮像装置１の光学ズームの変更を行う。ズーム駆動部３０２は、ＤＣモータ、ステッピングモータおよび可動コイル型または可動磁石型リニアモータ等のボイスコイルモータ（ＶＣＭ）等を用いて構成される。
【０１０２】
ズーム位置検出部３０３は、光軸Ｏ１上におけるズーム光学系３０１の位置を検出し、この検出結果をレンズ制御部３１４へ出力する。ズーム位置検出部３０３は、フォトインタラプタ等を用いて構成される。なお、本実施の形態１では、ズーム位置検出部３０３が焦点距離検出部として機能する。
【０１０３】
絞り３０４は、ズーム光学系３０１が集光した入射光量を制限することにより露出の調整を行う。
【０１０４】
絞り駆動部３０５は、レンズ制御部３１４の制御のもと、絞り３０４を駆動することにより、撮像装置１の絞り値を変更する。絞り駆動部３０５は、ステッピングモータ等を用いて構成される。
【０１０５】
絞り値検出部３０６は、絞り３０４の現在の状態から絞り値を検出し、この検出結果をレンズ制御部３１４へ出力する。絞り値検出部３０６は、フォトインタラプタやステッピングモータ等を用いて構成される。
【０１０６】
フォーカス光学系３０７は、一または複数のレンズを用いて構成され、レンズ部３の光軸Ｏ１上に沿って移動することにより、レンズ部３のピント位置を変更する。
【０１０７】
フォーカス駆動部３０８は、レンズ制御部３１４の制御のもと、フォーカス光学系３０７を光軸Ｏ１上に沿って移動させることにより、レンズ部３のピント位置を調整する。フォーカス駆動部３０８は、ＤＣモータ、ステッピングモータまたは可動コイル型または可動磁石型リニアモータ等のボイスコイルモータ等を用いて構成される。
【０１０８】
フォーカス位置検出部３０９は、光軸Ｏ１上におけるフォーカス光学系３０７の位置を検出し、この検出結果をレンズ制御部３１４へ出力する。フォーカス位置検出部３０９は、フォトインタラプタ等を用いて構成される。
【０１０９】
レンズ手ブレ補正部３１０は、撮影時における撮影者の手ブレを補正するため、補正レンズ３１５を光軸Ｏ１に対してＸ軸方向およびＹ軸方向へ機械的に移動させる。具体的には、レンズ手ブレ補正部３１０は、補正レンズ３１５を保持する保持枠（図示せず）をレンズ部３の光軸Ｏ１に直交するＸＹ平面、レンズ部３の光軸Ｏ１と平行をなすＸＺ平面およびレンズ部３の光軸Ｏ１と平行をなすＹＺ平面を回転または移動する。手ブレ補正部２０５は、複数のアクチュエータ、例えば可動コイル型または可動磁石型リニアモータ等のボイスコイルモータ、圧電素子および高分子アクチュエータ等を用いて構成される。レンズ手ブレ補正部３１０は、本体部２の手ブレ検出部２１８の検出結果に基づいて、補正レンズ３１５を移動させる。
【０１１０】
レンズ操作部３１１は、レンズ部３のレンズ鏡筒の周囲に設けられる操作リングであり、レンズ部３における光学ズームの変更を指示する指示信号の入力またはレンズ部３におけるピント位置の調整を指示する指示信号の入力を受け付ける。なお、レンズ操作部３１１は、プッシュ式のスイッチやレバー式のスイッチ等であってもよい。
【０１１１】
レンズＦｌａｓｈメモリ３１２は、ズーム光学系３０１、絞り３０４およびフォーカス光学系３０７の位置および動きをそれぞれ決定するための制御プログラム、レンズ部３のレンズ特性および各種パラメータを記録する。ここで、レンズ特性とは、レンズ部３の色収差、明るさ情報（ｆ値）および焦点距離情報（例えば１２ｍｍ〜６００ｍｍ）である。
【０１１２】
レンズ通信部３１３は、レンズ部３が本体部２に装着された際に、本体部２の本体通信部２２３と通信を行うための通信インターフェースである。レンズ通信部３１３は、本体部２との電気的な接点も含まれる。
【０１１３】
レンズ制御部３１４は、ＣＰＵ等を用いて構成され、レンズ操作部３１１からの指示信号または本体部２からの指示信号に応じてレンズ部３の動作を制御する。具体的には、レンズ制御部３１４は、レンズ操作部３１１からの指示信号に応じて、フォーカス駆動部３０８を駆動させてフォーカス光学系３０７によるピント調整、またはズーム駆動部３０２を駆動させてズーム光学系３０１の光学ズームのズーム倍率の変更を行う。また、レンズ制御部３１４は、レンズ部３が本体部２に装着された際に、レンズ部３のレンズ特性およびレンズ部３を識別する識別情報を周期的に本体部２に送信する。さらに、レンズ制御部３１４は、撮像素子２０３が画像データを生成する画像データのフレームに同期してレンズ情報を本体部２に送信する。
【０１１４】
〔レンズバリア機構の構成〕
次に、レンズバリア機構４の構成について説明する。
レンズバリア機構４は、レンズ部３のズーム光学系３０１における被写体側に配置され、ズーム光学系３０１の表面に付着する塵や結露を防止するレンズバリア４１と、撮像装置１の起動に応じてレンズバリアを開閉するレンズバリア駆動部４２と、レンズバリア４１の開閉を検出するレンズバリア検出部４３と、を備える。なお、レンズバリア機構４の詳細な構成は、本出願人による発明である日本国特開２００９−１６９１７８号公報等を用いる。
【０１１５】
以上のように構成された撮像装置１は、撮影者が撮影の目的に応じて、接眼表示部２１４、背面表示部２１６および光学照準部５００のいずれかが用いられる。具体的には、撮影者が没入感を持ってこだわり写真を撮影する場合、外光の影響を受けず、よい被写体の色再現性を得るため、図７に示すように、接眼表示部２１４で表示されるライブビュー画像を確認しながら行う撮影を行う。
【０１１６】
また、撮影者は、大きな画面で被写体を確認しながら撮影する場合、図８に示すように、背面表示部２１６が表示するライブビュー画像で確認しながら、タッチレリーズ操作等の直感的な操作で所望の位置に撮像装置１のピント位置を合わせながら撮影を行う。
【０１１７】
さらに、撮影者は、望遠または撮像装置１の視野領域内における被写体に対して照準しながら撮影する場合、図９に示すように、光学照準部５００が発光する光ビームまたは照準マークを所望の被写体に合わせながら撮影を行う。
【０１１８】
つぎに、撮像装置１が実行する処理について説明する。図１０は、撮像装置１が実行する処理の概要を示すフローチャートである。
【０１１９】
図１０に示すように、撮像装置１が撮影モードに設定されている場合（ステップＳ１０１：Ｙｅｓ）、本体制御部２２５は、バス２２４を介してレンズ部３のレンズ情報を取得する（ステップＳ１０２）。具体的には、本体制御部２２５は、バス２２４を介してレンズ部３の現在のズーム光学系３０１の焦点距離、およびフォーカス光学系３０７のピント位置を取得する。この際、本体制御部２２５は、絞り３０４の絞り値を取得してもよい。
【０１２０】
続いて、撮像制御部２２５ｇは、撮像素子駆動部２０４を駆動することによって撮像素子２０３に撮像を実行する（ステップＳ１０３）。
【０１２１】
その後、撮像装置１は、撮像素子２０３が生成した画像データに対応する画像に基づいて、撮像装置１の視野領域の明るさ・撮像装置１から被写体までの距離を検出する（ステップＳ１０４）。具体的には、明るさ検出部２２５ａは、撮像素子２０３が生成した画像データに対応する画像に基づいて、視野領域の明るさを検出する。また、距離検出部２２５ｂは、撮像素子２０３が生成した画像データに対応する画像に基づいて、被写体までの距離を検出する。
【０１２２】
続いて、本体制御部２２５は、光学照準部５００を駆動するか否かを判断する（ステップＳ１０５）。具体的には、本体制御部２２５は、距離検出部２２５ｂが検出した撮像装置１から被写体までの距離または入力部２１７から入力される脚部２１２をポップアップさせる指示信号の入力に基づいて、光学照準部５００を駆動するか否かを判断する。本体制御部２２５が光学照準部５００を駆動すると判断した場合（ステップＳ１０５：Ｙｅｓ）、撮像装置１は、後述するステップＳ１０８へ移行する。これに対して、本体制御部２２５が光学照準部５００を駆動しないと判断した場合（ステップＳ１０５：Ｎｏ）、撮像装置１は、後述するステップＳ１０６へ移行する。
【０１２３】
ステップＳ１０６において、撮像装置１は、撮像素子２０３が生成した画像データに基づいた撮影制御で撮影を行う第１撮影モード処理を実行する。なお、第１撮影モード処理の詳細については後述する。ステップＳ１０６の後、撮像装置１は、ステップＳ１０７へ移行する。
【０１２４】
続いて、電源スイッチ２１７ａが操作され、撮像装置１の電源がオフになった場合（ステップＳ１０７：Ｙｅｓ）、撮像装置１は、本処理を終了する。これに対して、電源スイッチ２１７ａが操作されず、撮像装置１の電源がオフになっていない場合（ステップＳ１０７：Ｎｏ）、撮像装置１は、ステップＳ１０１へ戻る。
【０１２５】
ステップＳ１０８において、撮像装置１は、光学照準部５００の駆動に対応した撮像制御で撮影を行う第２撮影モード処理を実行する。なお、第２撮影モード処理の詳細については後述する。ステップＳ１０８の後、撮像装置１は、ステップＳ１０７へ移行する。
【０１２６】
ステップＳ１０１において、撮像装置１が撮影モードに設定されていない場合（ステップＳ１０１：ＮＯ）において、撮像装置１が再生モードに設定されているとき（ステップＳ１０９：Ｙｅｓ）、撮像装置１は、記録媒体２２０に記録された画像データに対応する画像を背面表示部２１６に表示させる再生表示処理を実行する（ステップＳ１１０）。ステップＳ１１０の後、撮像装置１は、ステップＳ１０７へ移行する。
【０１２７】
ステップＳ１０１において、撮像装置１が撮影モードに設定されていない場合（ステップＳ１０１：Ｎｏ）において、撮像装置１が再生モードに設定されていないとき（ステップＳ１０９：Ｎｏ）、撮像装置１は、ステップＳ１０７へ移行する。
【０１２８】
つぎに、図１０のステップＳ１０６の第１撮影モード処理について詳細に説明する。図１１は、第１撮影モード処理の概要を示すフローチャートである。
【０１２９】
図１１に示すように、アイセンサ２１５が撮影者を検出した場合（ステップＳ２０１：Ｙｅｓ）、撮像装置１は、後述するステップＳ２１８へ移行する。これに対して、アイセンサ２１５が撮影者を検出していない場合（ステップＳ２０１：Ｎｏ）、撮像装置１は、後述するステップＳ２０２へ移行する。
【０１３０】
ステップＳ２０２において、手ブレ補正部２０５が駆動中である場合（ステップＳ２０２：Ｙｅｓ）、撮像装置１は、後述するステップＳ２０４へ移行する。これに対して、手ブレ補正部２０５が駆動中でない場合（ステップＳ２０２：Ｎｏ）、撮像制御部２２５ｇは、手ブレ補正部２０５を駆動する（ステップＳ２０３）。ステップＳ２０３の後、撮像装置１は、ステップＳ２０４へ移行する。
【０１３１】
続いて、接眼表示部２１４が駆動中である場合（ステップＳ２０４：Ｙｅｓ）、本体制御部２２５は、接眼表示部２１４を停止させる（ステップＳ２０５）。ステップＳ２０５の後、撮像装置１は、ステップＳ２０６へ移行する。これに対して、接眼表示部２１４が駆動中でない場合（ステップＳ２０４：Ｎｏ）、撮像装置１は、ステップＳ２０６へ移行する。
【０１３２】
その後、光学照準部５００が駆動中である場合（ステップＳ２０６：Ｙｅｓ）、照準制御部２２５ｆは、光学照準部５００を停止させる（ステップＳ２０７）。ステップＳ２０７の後、撮像装置１は、ステップＳ２０８へ移行する。これに対して、光学照準部５００が駆動中でない場合（ステップＳ２０６：Ｎｏ）、撮像装置１は、ステップＳ２０８へ移行する。
【０１３３】
続いて、背面表示部２１６が駆動中である場合（ステップＳ２０８：Ｙｅｓ）、撮像装置１は、ステップＳ２１０へ移行する。これに対して、背面表示部２１６が駆動中でない場合（ステップＳ２０８：Ｎｏ）、本体制御部２２５は、背面表示部２１６を駆動する（ステップＳ２０９）。ステップＳ２０９の後、撮像装置１は、ステップＳ２１０へ移行する。
【０１３４】
その後、表示制御部２２５ｈは、背面表示部２１６に撮像素子２０３によって生成された画像データに対応するライブビュー画像を表示させる（ステップＳ２１０）。
【０１３５】
続いて、タッチパネル２１７ｇを介して背面表示部２１６の画面内がタッチされた場合（ステップＳ２１１：Ｙｅｓ）、撮像制御部２２５ｇは、タッチ位置を含む領域に対して、ＡＦ処理部２１０にＡＦ処理を実行させる（ステップＳ２１２）。この際、ＡＥ処理部２０９は、ＡＦ処理部２１０のＡＦ処理に併せて、ＡＥ処理を実行する。
【０１３６】
その後、撮像制御部２２５ｇは、撮像素子２０３に静止画撮影を実行させ（ステップＳ２１３）、撮像素子２０３が生成した画像データを記録媒体２２０に記録する（ステップＳ２１４）。ステップＳ２１４の後、撮像装置１は、図１０のメインルーチンへ戻る。
【０１３７】
ステップＳ２１１において、タッチパネル２１７ｇを介して背面表示部２１６の画面内がタッチされていない場合（ステップＳ２１１：Ｎｏ）、撮像装置１は、ステップＳ２１５へ移行する。
【０１３８】
続いて、レリーズスイッチ２１７ｂから１ｓｔが入力された場合（ステップＳ２１５：Ｙｅｓ）、ＡＦ処理部２１０は、ＡＦ処理を実行する（ステップＳ２１６）。
【０１３９】
その後、レリーズスイッチ２１７ｂから２ｎｄが入力された場合（ステップＳ２１７：Ｙｅｓ）、撮像装置１は、ステップＳ２１３へ移行する。
【０１４０】
ステップＳ２１５において、レリーズスイッチ２１７ｂから１ｓｔが入力されていない場合（ステップＳ２１５：Ｎｏ）、撮像装置１は、図１０のメインルーチンへ戻る。
【０１４１】
ステップＳ２１７において、レリーズスイッチ２１７ｂから２ｓｄが入力されていない場合（ステップＳ２１７：Ｎｏ）、撮像装置１は、図１０のメインルーチンへ戻る。
【０１４２】
ステップＳ２１８において、手ブレ補正部２０５が駆動中である場合（ステップＳ２１８：Ｙｅｓ）、撮像装置１は、ステップＳ２２０へ移行する。これに対して、手ブレ補正部２０５が駆動中でない場合、具体的には、ホールド状態の場合（ステップＳ２１８：Ｎｏ）、撮像制御部２２５ｇは、手ブレ補正部２０５を駆動する（ステップＳ２１９）。ステップＳ２１９の後、撮像装置１は、ステップＳ２２０へ移行する。
【０１４３】
続いて、接眼表示部２１４が駆動中である場合（ステップＳ２２０：Ｙｅｓ）、撮像装置１は、ステップＳ２２２へ移行する。これに対して、接眼表示部２１４が駆動中でない場合（ステップＳ２２０：Ｎｏ）、本体制御部２２５は、接眼表示部２１４を駆動する（ステップＳ２２１）。ステップＳ２２１の後、撮像装置１は、ステップＳ２２２へ移行する。
【０１４４】
その後、光学照準部５００が駆動中である場合（ステップＳ２２２：Ｙｅｓ）、照準制御部２２５ｆは、光学照準部５００を停止させる（ステップＳ２２３）。具体的には、照準制御部２２５ｆは、光源部５０１の光源駆動回路（図示せず）による光ビームまたは照準マークの発光を停止させる。ステップＳ２２３の後、撮像装置１は、ステップＳ２２４へ移行する。これに対して、光学照準部５００が駆動中でない場合（例えばスイッチ部２１３ｂが指示信号の入力を受け付けた場合（オン状態）、または光源部５０１による光ビームまたは照準マークの発光が停止していない場合も含む）（ステップＳ２２２：Ｎｏ）、撮像装置１は、ステップＳ２２４へ移行する。
【０１４５】
続いて、背面表示部２１６が駆動中である場合（ステップＳ２２４：Ｙｅｓ）、本体制御部２２５は、背面表示部２１６を停止させる（ステップＳ２２５）。ステップＳ２２５の後、撮像装置１は、ステップＳ２２６へ移行する。これに対して、背面表示部２１６が駆動中でない場合（ステップＳ２２４：Ｎｏ）、撮像装置１は、ステップＳ２２６へ移行する。
【０１４６】
その後、表示制御部２２５ｈは、接眼表示部２１４に撮像素子２０３によって生成された画像データに対応するライブビュー画像を表示させる（ステップＳ２２６）。ステップＳ２２６の後、撮像装置１は、ステップＳ２１５へ移行する。
【０１４７】
つぎに、図１０のステップＳ１０８の第２撮影モード処理について詳細に説明する。図１２は、第２撮影モード処理の概要を示すフローチャートである。
【０１４８】
図１２に示すように、脚部２１２がポップアップしている場合（ステップＳ３０１：Ｙｅｓ）、撮像装置１は、ステップＳ３０３へ移行する。これに対して、脚部２１２がポップアップしていない場合（ステップＳ３０１：Ｎｏ）、本体制御部２２５は、ポップアップ部６００を駆動させて、脚部２１２を本体部２からポップアップさせる（ステップＳ３０２）。ステップＳ３０２の後、撮像装置１は、ステップＳ３０３へ移行する。
【０１４９】
続いて、光学照準部５００が駆動中である場合（ステップＳ３０３：Ｙｅｓ）、撮像装置１は、ステップＳ３０５へ移行する。これに対して、光学照準部５００が駆動中でない場合（ステップＳ３０３：Ｎｏ）、照準制御部２２５ｆは、光学照準部５００を駆動する（ステップＳ３０４）。具体的には、照準制御部２２５ｆは、光源部５０１から光ビームまたは照準マークを発光させる。ステップＳ３０４の後、撮像装置１は、ステップＳ３０５へ移行する。
【０１５０】
その後、接眼表示部２１４が駆動中である場合（ステップＳ３０５：Ｙｅｓ）、本体制御部２２５は、接眼表示部２１４を停止させる（ステップＳ３０６）。ステップＳ３０６の後、撮像装置１は、ステップＳ３０７へ移行する。これに対して、接眼表示部２１４が駆動中でない場合（ステップＳ３０５：Ｎｏ）、撮像装置１は、ステップＳ３０７へ移行する。
【０１５１】
続いて、背面表示部２１６が駆動中である場合（ステップＳ３０７：Ｙｅｓ）、撮像装置１は、ステップＳ３０９へ移行する。これに対して、背面表示部２１６が駆動中でない場合（ステップＳ３０７：Ｎｏ）、本体制御部２２５は、背面表示部２１６を駆動する（ステップＳ３０８）。ステップＳ３０８の後、撮像装置１は、ステップＳ３０９へ移行する。
【０１５２】
その後、本体制御部２２５は、撮像素子２０３の移動がマニュアル調整であるか否かを判断する（ステップＳ３０９）。具体的には、本体制御部２２５は、タッチパネル２１７ｇから位置信号が入力されたか否かを判断する。本体制御部２２５が撮像素子２０３の移動がマニュアル調整であると判断した場合（ステップＳ３０９：Ｙｅｓ）、撮像装置１は、後述するステップＳ３１０へ移行する。これに対して、本体制御部２２５が撮像素子２０３の移動がマニュアル調整でないと判断した場合（ステップＳ３０９：Ｎｏ）、撮像装置１は、後述するステップＳ３１１へ移行する。
【０１５３】
ステップＳ３１０において、撮像制御部２２５ｇは、手ブレ補正部２０５を駆動することにより、タッチパネル２１７ｇを介して背面表示部２１６上におけるスライド操作に応じた位置に撮像素子２０３を移動させる。
【０１５４】
図１３は、撮像装置１の光学照準部５００および背面表示部２１６を用いて撮影者が被写体を撮影する際の状況を模式的に示す図である。図１４は、図１３に示す状況下において、被写体に対するズーム光学系３０１と光学照準部５００との視差を模式的に示す図である。図１５は、スライド操作に応じて背面表示部２１６が表示する画像の一例を示す図である。図１６は、撮像素子２０３の移動を模式的に示す図である。なお、図１３において、レンズ部３の画角Ｚ１を２点鎖線で示し、光学照準部５００の視野領域Ｑ１を点線で示す。
【０１５５】
図１３に示すように、撮影者は、光学照準部５００が射出する光束Ｔ１を撮像装置１の視野領域Ｗ１における被写体Ａ１の顔付近に合わせることによって、被写体Ａ１のフレーミングを行うことができる。しかしながら、撮影者は、撮像装置１を用いて、例えば、撮像装置１から被写体Ａ１までの距離が中距離の場合、光学照準部５００の光軸Ｏ２とレンズ部３の光軸Ｏ１とに視差が生じるため、撮像素子２０３で生成された画像データに対応する画像Ｗ２が光学照準部５００で視認している視野領域Ｗ１と異なる。具体的には、図１４に示すように、光学照準部５００の光軸Ｏ２とレンズ部３の光軸Ｏ１との間に視差が生じているため、撮像装置１から被写体Ａ１までの距離が中距離の場合、光学照準部５００の光軸Ｏ２とレンズ部３の光軸Ｏ１との視差が大きくなる。そこで、図１５および図１６に示すように、撮像制御部２２５ｇは、タッチパネル２１７ｇを介して背面表示部２１６上におけるスライド操作に応じて（図１６（ａ）→図１６（ｂ））、手ブレ補正部２０５を駆動させて撮像素子２０３を移動させる。例えば、図１５に示す場合、撮像制御部２２５ｇは、手ブレ補正部２０５を駆動させて撮像素子２０３を鉛直方向下向き（矢印（ａ））に移動させる。これにより、図１６に示すように、背面表示部２１が表示する画像は、ライブビュー画像Ｗ２からライブビュー画像Ｗ３になる（図１６（ａ）→図１６（ｂ））。この結果、撮像装置１から被写体Ａ１までの距離が中距離であっても、光学照準部５００とレンズ部３との視差を小さくすることができる。
【０１５６】
図１２に戻り、ステップＳ３１１以降の説明を続ける。ステップＳ３１１において、顔検出部２２５ｃが撮像素子２０３によって生成された画像データに対応する画像内において被写体の顔を検出した場合（ステップＳ３１１：Ｙｅｓ）、撮像制御部２２５ｇは、手ブレ補正部２０５を駆動することによって、顔検出部２２５ｃが検出した被写体の顔が画像内の中央に位置するように撮像素子２０３を移動させる（ステップＳ３１２）。これにより、撮像装置１から被写体までの距離が中距離または近距離であっても、光学照準部５００とレンズ部３との視差を自動的に小さくすることができ、被写体が人物の際に顔が中央に位置する画像を撮影することができる。
【０１５７】
ステップＳ３１１において、顔検出部２２５ｃが撮像素子２０３によって生成された画像データに対応する画像内において被写体の顔を検出していない場合（ステップＳ３１１：Ｎｏ）、撮像装置１は、ステップＳ３１３へ移行する。
【０１５８】
続いて、距離検出部２２５ｂは、レンズ情報に含まれるレンズ部３のピント位置に基づいて、撮像装置１から被写体までの距離を検出する（ステップＳ３１３）。
【０１５９】
その後、撮像制御部２２５ｇは、手ブレ補正部２０５を駆動することによって、距離検出部２２５ｂが検出した撮像装置１から被写体までの距離に応じた位置に撮像素子２０３を移動させる（ステップＳ３１４）。
【０１６０】
ステップＳ３１０、ステップＳ３１２およびステップＳ３１４の後、手ブレ補正部２０５が駆動中である場合（ステップＳ３１５：Ｙｅｓ）、撮像制御部２２５ｇは、手ブレ補正部２０５をホールドさせる（ステップＳ３１６）。ステップＳ３１６の後、撮像装置１は、ステップＳ３１７へ移行する。これに対して、手ブレ補正部２０５が駆動中でない場合（ステップＳ３１５：Ｎｏ）、撮像装置１は、ステップＳ３１７へ移行する。
【０１６１】
ここで、手ブレ補正部２０５を停止させる理由について説明する。図１７は、光学照準部５００で被写体Ａ１０を照準しながら撮影する際の状況を模式的に示す図である。図１８は、手ブレ補正部２０５が駆動している場合において、光学照準部５００で被写体Ａ１０を照準しながら撮影するときの視野領域のズレを模式的に示す図である。なお、図１７および図１８において、視野領域Ｑ１１が光学照準部５００の視野領域を示し、領域Ｚ１１がレンズ部３を介して撮像素子２０３が受光する視野領域（撮像領域）を示す。また、図１７および図１８において、画像Ｗ１０が視野領域Ｑ１１に対応し、画像Ｗ１１および画像Ｗ２１が撮像素子２０３によって生成された画像に対応する。
【０１６２】
図１７に示すように、撮影者が光学照準部５００によって発光された光ビームまたは照準マーク（光束Ｔ１）を視野領域Ｑ１１内の被写体Ａ１０に合わせて画像Ｗ１１のような構図で撮影しようとする場合において、手ブレ補正部２０５が駆動中で撮像装置１に手ブレが生じたとき、手ブレによる撮影画像のブレを防止するため、手ブレ補正部２０５が手ブレ検出部２１８によって検出された加速度に応じて撮像素子２０３を移動させる。このため、図１８に示すように、撮像素子２０３が受光する領域Ｚ１１の位置が移動することで、光学照準部５００の光軸Ｏ２とレンズ部３の光軸Ｏ１との間で視差が生じる。そこで、本実施の形態では、撮像装置１が第２撮影モード処理（光学照準部５００が駆動する場合）を行う場合において、静止画撮影を実行する直前まで手ブレ補正部２０５の駆動をホールド（待機）させることで、光学照準部５００とレンズ部３との視差を小さくする。これにより、撮影者が光学照準部５００で被写体Ａ１０に光束Ｂ１を合わせながら撮影した際に、撮影された画像と光学照準部５００でフレーミングを行った際の構図との違和感を防止する。
【０１６３】
ステップＳ３１２、ステップＳ３１４およびステップＳ３１６の後、またはステップＳ３１５において手ブレ補正部２０５が駆動中である場合（ステップＳ３１５：Ｙｅｓ）において、手ブレ検出部２１８が閾値以上の加速度を検出した場合（ステップＳ３１７：Ｙｅｓ）、撮像装置１は、後述するステップＳ３２９へ移行する。これに対して、手ブレ検出部２１８が閾値以上の加速度を検出していない場合（ステップＳ３１７：Ｎｏ）、撮像装置１は、後述するステップＳ３１８へ移行する。
【０１６４】
ステップＳ３１８において、表示制御部２２５ｈは、背面表示部２１６に撮像素子２０３が生成した画像データに対応するライブビュー画像を表示させる。
【０１６５】
続いて、レンズ操作部３１１を介してレンズ部３のマニュアルピント操作が行われた場合（ステップＳ３１９：Ｙｅｓ）、レンズ制御部３１４は、フォーカス駆動部３０８を駆動することによってフォーカス光学系３０７を光軸Ｏ１に沿って移動させることにより、レンズ部３のピントを調整する（ステップＳ３２０）。
【０１６６】
ステップＳ３１９において、レンズ操作部３１１を介してレンズ部３のマニュアルピント操作が行われていない場合（ステップＳ３１９：Ｎｏ）およびステップＳ３２０の後、撮像装置１は、ステップＳ３２１へ移行する。
【０１６７】
続いて、タッチパネル２１７ｇを介して背面表示部２１６の画面内がタッチされた場合（ステップＳ３２１：Ｙｅｓ）、撮像制御部２２５ｇは、レンズ制御部３１４を介してフォーカス駆動部３０８を駆動し、フォーカス光学系３０７を光軸Ｏ１に沿って移動させることによって、タッチ位置を含む領域にレンズ部３のピント位置を合わせるＡＦ処理を実行させる（ステップＳ３２２）。
【０１６８】
その後、撮像制御部２２５ｇは、手ブレ補正部２０５を駆動する（ステップＳ３２３）。具体的には、図１９に示すように、撮像制御部２２５ｇは、手ブレ検出部２１８が検出した加速度に基づいて、手ブレ補正部２０５を駆動させて撮像素子２０３を手ブレによる像ブレを抑制する方向（矢印（ｂ））に移動させる。これにより、撮影者が撮像装置１を用いて静止画撮影を行う際に、撮像装置１に手ブレが生じた場合であっても、撮影される画像の像ブレの防止することができる。
【０１６９】
続いて、撮像制御部２２５ｇは、撮像素子２０３に静止画撮影を実行させ（ステップＳ３２４）、撮像素子２０３が生成した画像データを記録媒体２２０に記録する（ステップＳ３２５）。ステップＳ３２５の後、撮像装置１は、図１０のメインルーチンへ戻る。
【０１７０】
ステップＳ３２１において、タッチパネル２１７ｇを介して背面表示部２１６の画面内がタッチされていない場合（ステップＳ３２１：Ｎｏ）、撮像装置１は、ステップＳ３２６へ移行する。
【０１７１】
続いて、レリーズスイッチ２１７ｂから１ｓｔが入力された場合（ステップＳ３２６：Ｙｅｓ）、撮像制御部２２５ｇは、レンズ制御部３１４を介してフォーカス駆動部３０８を駆動し、フォーカス光学系３０７を光軸Ｏ１に沿って移動させることによって、撮像装置１の視野領域における中央領域でフォーカス光学系３０７のＡＦ走査の距離を制限してレンズ部３のピント位置を合わせるＡＦ処理を実行させる（ステップＳ３２７）。具体的には、撮像制御部２２５ｇは、レンズ部３のピント位置を中央に合わせるとともに（例えば、マルチスポットＡＦ処理からスポットＡＦ処理に変更）、無限側から所定の距離の範囲だけフォーカス光学系３０７を移動（走査）させてＡＦ処理を実行させる。これにより、フォーカス光学系３０７を至近側から望遠側に向けて移動させる通常のＡＦ処理に比して、フォーカス光学系３０７を移動させる時間を短くすることができるので、高速なＡＦ処理を実行することができる。この結果、高速に移動する被写体に対しても確実にシャッタチャンスをとらえることができる。さらに、レンズ部３のピント位置を中央に合わせることで（スポットＡＦ）、遠距離から木の中にいる鳥等の被写体を撮影する場合に、被写体より手前にいる枝等にレンズ部３のピントが合うことを防止することができる。さらにまた、光学照準部５００で示された撮像範囲の略中央に被写体を合わせる使い方をした場合において、ＡＦ処理による合焦ポイントが撮像範囲の中央に設定されていないとき、撮影者の意図していないところにピントが合ってしまうことを防止することができる。
【０１７２】
その後、レリーズスイッチ２１７ｂから２ｎｄが入力された場合（ステップＳ３２８：Ｙｅｓ）、撮像装置１は、ステップＳ３２３へ移行する。これに対して、レリーズスイッチ２１７ｂから２ｎｄが入力されていない場合（ステップＳ３２８：Ｎｏ）、撮像装置１は、図１０のメインルーチンへ戻る。
【０１７３】
ステップＳ３２６において、レリーズスイッチ２１７ｂから１ｓｔが入力されていない場合（ステップＳ３２６：Ｎｏ）、撮像装置１は、図１０のメインルーチンへ戻る。
【０１７４】
ステップＳ３２９において、撮像装置１は、光学照準部５００で被写体に対する大まかな構図を決めた後に、詳細な構図を決める際に行う第３撮影モード処理を実行する。
【０１７５】
図２０は、図１２のステップＳ３２９の第３撮影モード処理の概要を示すフローチャートである。
【０１７６】
図２０に示すように、本体制御部２２５は、撮像素子２０３が生成した画像データをＳＤＲＡＭ２２１に記録する（ステップＳ４０１）。
【０１７７】
続いて、アイセンサ２１５が撮影者を検出した場合（ステップＳ４０２：Ｙｅｓ）、撮像制御部２２５ｇは、撮像素子２０３に撮像を実行させる（ステップＳ４０３）。
【０１７８】
その後、被写体検出部２２５ｄは、撮像素子２０３が生成した画像データに対応する画像内において被写体を追尾する（ステップＳ４０４）。
【０１７９】
続いて、被写体検出部２２５ｄが被写体を追尾可能である場合（ステップＳ４０５：Ｙｅｓ）、撮像制御部２２５ｇは、被写体の移動距離に応じて撮像素子２０３を移動させる（ステップＳ４０６）。
【０１８０】
その後、接眼表示部２１４が駆動中である場合（ステップＳ４０７：Ｙｅｓ）、撮像装置１は、ステップＳ４０９へ移行する。これに対して、接眼表示部２１４が駆動中でない場合（ステップＳ４０７：Ｎｏ）、本体制御部２２５は、接眼表示部２１４を駆動する（ステップＳ４０８）。ステップＳ４０８の後、撮像装置１は、ステップＳ４０９へ移行する。
【０１８１】
続いて、本体制御部２２５は、光学照準部５００を停止させ（ステップＳ４０９）、表示制御部２２５ｈは、接眼表示部２１４に撮像素子２０３が生成した画像データに対応するライブビュー画像を表示させる（ステップＳ４１０）。
【０１８２】
その後、撮像制御部２２５ｇは、レンズ制御部３１４を介してズーム駆動部３０２を駆動することによって、被写体検出部２２５ｄが検出した被写体の移動距離に応じてズーム光学系３０１を光軸Ｏ１に沿って広角側または望遠側に移動させる（ステップＳ４１１）。ステップＳ４１１の後、図１２のステップＳ３２１へ移行する。
【０１８３】
ステップＳ４０５において、被写体検出部２２５ｄが被写体を追尾可能でない場合（ステップＳ４０５：Ｎｏ）、撮像制御部２２５ｇは、レンズ制御部３１４を介してズーム駆動部３０２を駆動することによって、ズーム光学系３０１を広角側に移動させる（ステップＳ４１２）。この際、撮像制御部２２５ｇは、被写体検出部２２５ｄが被写体を検出するまで、ズーム光学系３０１を広角側に移動させる。ステップＳ４１２の後、撮像装置１は、ステップＳ４０７へ移行する。
【０１８４】
ステップＳ４０２において、アイセンサ２１５が撮影者を検出していない場合（ステップＳ４０２：Ｎｏ）、撮像制御部２２５ｇは、撮像素子２０３に画像データを撮像させる。
【０１８５】
続いて、被写体検出部２２５ｄは、撮像素子２０３が生成した画像データに対応する画像内において被写体を追尾する（ステップＳ４１４）。
【０１８６】
その後、被写体検出部２２５ｄが被写体を追尾可能である場合（ステップＳ４１５：Ｙｅｓ）、撮像制御部２２５ｇは、被写体の移動距離に応じて撮像素子２０３を移動させる（ステップＳ４１６）。
【０１８７】
続いて、背面表示部２１６が駆動中である場合（ステップＳ４１７：Ｙｅｓ）、撮像装置１は、ステップＳ４１９へ移行する。これに対して、背面表示部２１６が駆動中でない場合（ステップＳ４１７：Ｎｏ）、本体制御部２２５は、背面表示部２１６を駆動する（ステップＳ４１８）。
【０１８８】
その後、表示制御部２２５ｈは、背面表示部２１６に撮像素子２０３が生成した画像データに対応するライブビュー画像を表示させる（ステップＳ４１９）。ステップＳ４１９の後、撮像装置１は、図１２のステップＳ３２１へ移行する。
【０１８９】
ステップＳ４１５において、被写体検出部２２５ｄが被写体を追尾可能でない場合（ステップＳ４１５：Ｎｏ）、撮像装置１は、図１２のステップＳ３２１へ移行する。
【０１９０】
以上説明した本発明の実施の形態１によれば、光学照準部５００が駆動する場合、モード切換部２２５ｅが撮像装置１の撮影モードを、撮像素子２０３が生成した画像データに基づいて撮影制御で撮影を行う第１撮影モードから光学照準部５００の駆動に対応した撮影制御で撮影を行う第２撮影モードに切り換えるので、光学照準部５００に適した撮影を行うことができる。
【０１９１】
また、本発明の実施の形態１によれば、モード切換部２２５ｅが撮像装置１の撮影モードを第１撮影モードから第２撮影モードに切り換えた場合、撮像制御部２２５ｇが手ブレ補正部２０５の駆動をホールドさせるので、手ブレ補正処理によって生じるレンズ部３の光軸Ｏ１と光学照準部５００の光軸Ｏ２との視差を小さくすることができる。
【０１９２】
また、本発明の実施の形態１によれば、撮像制御部２２５ｇが距離検出部２２５ｂによって検出された撮像装置１から被写体までの距離に基づいて、手ブレ補正部２０５を駆動させて撮像素子２０３の位置を移動させるので、望遠撮影時または中距離撮影時に生じるレンズ部３の光軸Ｏ１と光学照準部５００の光軸Ｏ２との視差を小さくすることができる。
【０１９３】
また、本発明の実施の形態１によれば、タッチパネル２１７ｇを介してスライド操作がされた場合、撮像制御部２２５ｇが手ブレ補正部２０５を駆動することによって、スライド操作に応じた位置に撮像素子２０３を移動させるので、レンズ部３と光学照準部５００との視差を小さくすることができる。
【０１９４】
また、本発明の実施の形態１によれば、モード切換部２２５ｅが撮像装置１の撮影モードを第１撮影モードから第２撮影モードに切り換えた場合、撮像制御部２２５ｇがレンズ部３のピント位置を画像内における中央に設定するので、被写体にピントがあった画像を撮影することができる。
【０１９５】
また、本発明の実施の形態１によれば、多くの手ブレ補正機構を搭載したデジタルカメラにおいて、フレーミング中にも手ブレを補正するように作用するため、デジタルカメラの動きと撮像範囲との動きが一致しない場合があるため、光学照準部５００が駆動中に、手ブレ補正部２０５またはレンズ手ブレ補正部３１０のいずれか一方を一時的に停止させる。これにより、光学照準部５００が指示する光ビームまたは照準マークの位置と、実際に撮影される撮像範囲の中央がずれた状態で露光が開始されることを防止することができる。
【０１９６】
また、本発明の実施の形態１によれば、光学照準部５００を駆動した際に、図２１に示すように、撮像制御部２２５ｇがレンズ制御部３１４を介してレンズ手ブレ補正部３１０を駆動させてズーム光学系３０１およびフォーカス光学系３０７の位置を移動させることによって（図２１の矢印（ｃ）を参照）、光学照準部５００とレンズ部３の視差を自動的に小さくなるように制御してもよい。
【０１９７】
また、本発明の実施の形態１によれば、表示制御部２２５ｈが視野領域の明るさに基づいて、光学照準部５００の光源部５０１が射出する光ビームまたは照準マークの明るさや大きさを調整してもよい。これにより、撮像装置１の環境に最適な明るさで被写体を照準することができる。
【０１９８】
また、本発明の実施の形態１によれば、表示制御部２２５ｈが被写体の種別、例えば顔や動物毎に画角に対応する枠の色や形状等を変更して光学照準部５００の光源部５０１から発光する光ビームまたは照準マークとすることは勿論可能である。
【０１９９】
また、本発明の実施の形態１によれば、光学素子５０２としてハーフミラーを用いていたが、例えば誘電多層膜を設けたホログラフィック素子で構成された導光板と、プリズム等を組み合わせて構成してもよい。
【０２００】
また、本発明の実施の形態１によれば、撮像制御部２２５ｇが光学照準部５００の駆動時に、撮像制御部２２５ｇが光学照準部５００の駆動に対応した撮影制御として手ブレ補正部２０５の駆動制御および／またはレンズ部３のピント位置の駆動制御を変更した撮影制御を行っていたが、撮像装置１の撮影パラメータを変更してもよい。具体的には、撮像制御部２２５ｇは、光学照準部５００が駆動した場合、撮影パラメータ、例えば絞り値、露出値、シャッタスピード、ＩＳＯ感度、階調、ホワイトバランスおよび彩度を変更した撮影制御で撮影を行ってもよい。例えば、撮像制御部２２５ｇは、光学照準部５００が駆動した場合、絞り値およびＩＳＯ感度を大きくするとともに、シャッタスピードを速くする撮影パラメータに変更した撮影制御で撮影を行うようにしてもよい。これにより、望遠撮影で鳥等の被写体を撮影する場合、被写体にピントを合わせつつ、周りの風景にもピントを合わせた撮影を行うことができる。
【０２０１】
（実施の形態２）
次に、本発明の実施の形態２について説明する。本実施の形態２にかかる撮像装置は、上述した実施の形態１にかかる撮像装置と構成が異なるうえ、実行する処理が異なる。このため、以下においては、本実施の形態２にかかる撮像装置の構成を説明後、本実施の形態２にかかる撮像装置が実行する処理について説明する。なお、上述した実施の形態１にかかる撮像装置１と同一の構成には同一の符号を付して説明を省略する。
【０２０２】
［撮像装置の構成］
図２３は、本実施の形態２にかかる撮像装置の機能構成を示すブロック図である。図２３に示す撮像装置１ａは、本体部２ａと、レンズ部３と、レンズバリア機構４と、を備える。
【０２０３】
［本体部の構成］
本体部２ａは、上述した実施の形態１に係る本体部２の構成に加えて、補助光発光部２２６を備える。さらに、上述した実施の形態１に係る本体部２の画像処理部２０８およびＦｌａｓｈメモリ２２２に換えて、Ｆｌａｓｈメモリ２２７および画像処理部２２８を備える。
【０２０４】
補助光発光部２２６は、撮像装置１ａがピントを自動的に合わせるオートフォーカス処理時に撮像装置１ａの視野領域に対して補助光を照射する。補助光発光部２２６は、赤外光を照射するランプおよび駆動回路等を用いて構成される。
【０２０５】
Ｆｌａｓｈメモリ２２７は、プログラム記録部２２２ａと、カスタム情報記録部２２７ａと、画像処理情報記録部２２７ｂと、を有する。
【０２０６】
カスタム情報記録部２２７ａは、撮像装置１ａに設定可能なカスタム情報を記録する。図２４は、カスタム情報記録部２２７ａが記録するカスタム情報の一部を示す図である。
【０２０７】
図２４に示すカスタム情報テーブルＴ１０には、撮像装置１ａで撮影者が設定可能な情報が記録されている。また、カスタム情報テーブルのＴ１０ａ（第一列）には、設定変更が可能な項目（動作）が示されている。カスタム情報テーブルのＴ１０ｂ（第三列）には、Ｔ１０ａ（第一列）で指定された項目の初期設定時の情報（メーカ出荷時に設定される）が示されている。カスタム情報テーブルのＴ１０ｃ（第三列）には、Ｔ１０ａ（第一列）で指定される項目の具体的な設定可能な情報が示されている。具体的には、カスタム情報テーブルＴ１０ａには、焦点距離情報、ＡＦの動作条件、特殊効果および手ブレ補正の動作条件がそれぞれ記録されている。例えば、焦点距離情報には、光学照準部５００が駆動した場合にズーム光学系３０１の焦点距離のＭａｘ値（Ｔｅｌｅ）およびレンズ部３のＭａｘ値〜Ｍｉｎ値（Ｔｅｌｅ〜Ｗｉｄｅ）が記録されている。
【０２０８】
また、ＡＦの動作条件には、光学照準部５００の駆動時におけるＡＦモード（Ｃモード）、ＡＦエリア（全域）および補助光発光部の状態（発光禁止）が記録されている。さらに、ＡＦの動作条件には、撮像装置１ａで設定可能な複数のＡＦモード、例えばＣモード（被写体を連続的にＡＦしながら追尾するモード）、Ｓモード（シングルモード）およびＡＦ禁止が記録されている。
【０２０９】
さらにまた、特殊効果には、撮像装置１ａで光学照準部５００が駆動している場合に選択可能な画像処理の有無が記録されている。例えば、フィッシュアイ（禁止）、ピンホール（禁止）、ファンタジックフォーカス（禁止）、ジオラマ（禁止）、トイフォト（禁止）、ポップアート（許可）、ラフモノクローム（許可）およびドラマチックトーン（許可）がそれぞれ記載されている。
【０２１０】
また、手ブレ補正の動作条件には、光学照準部５００の駆動時における手ブレ補正の設定が記載されている。具体的には、手ブレ補正の動作条件には、光学照準部５００の駆動時における手ブレ補正の設定が記載されている。手ブレ補正の動作として電子手振れ補正動作と光学手振れ補正動作があり、それぞれの動作条件を設定できる。（図２４を参照）。より具体的には、電子手振れ補正動作の動作条件は、静止画撮影モードが選択されている場合の動作条件と動画撮影モードが選択されている場合の動作条件をそれぞれ設定できる。また、静止画撮影モードにおいては、１・ライブビュー動作中は動作許可を示すライブビュー中許可、２・ファーストレリーズ中のみ動作許可を示すファーストレリーズ中の許可（レリーズボタンの半押し動作中のみ動作許可）、および３・動作禁止の何れかを選択できる。動画撮影モードにおいては、１・動作許可および２・動作禁止の何れかを選択できる。さらに、光学手振れ補正の動作条件は、静止画撮影中の動作許可と動作禁止の何れかを選択できる。この静止画撮影中とは、静止画撮影モード中の撮影動作のみならず、動画撮影動作モード中における静止画撮影動作も含む。（動画撮影中に所定の操作で静止画の取得が可能な撮影装置が存在する）。さらにまた、電子手振れ補正動作の動作条件は、初期設定条件として以下のように設定される。具体的には、撮影装置のモードとして静止画撮影モードが選択されている場合には、ライブビュー中における電子手振れ補正動作が許可され、撮影装置のモードとして動画撮影モードが選択されている場合には、電子手振れ補正動作が許可される。光学手振れ補正動作の動作条件は、初期設定条件として、静止画撮影動作中の動作が許可される。これら初期設定条件は、ユーザの設定変更がなければ、光学照準部５００の駆動時における手ブレ補正の設定となる。
【０２１１】
ここで、図２４の特殊効果の画像処理内容について説明する。
ファンタジックフォーカスは、画像全体にぼかし処理を施し、ぼかす前の画像と一定の割合で合成するソフトフォーカスの効果を与える処理である。ファンタジックフォーカスは、中間の輝度をより明るくするトーンカーブ処理を行うことにより、柔らかいトーンの中で、被写体のディテールを残しながら、幸福な光に包まれたように美しく幻想的な雰囲気の画像を結像または生成する。ファンタジックフォーカスは、例えばトーンカーブ処理、ぼかし処理、アルファブレンド処理および画像合成処理等の画像処理を組み合わせることによって実現される。
【０２１２】
ポップアートは、色をカラフルに強調し、明るく楽しい雰囲気を表現する処理である。ポップアートは、例えば彩度強調処理およびコントラスト強調処理を組み合わせることによって実現される。全体に高コントラストで高彩度の効果である。
ピンホールは、画像の周辺部をシェーディングによって暗くして穴から覗き込むような効果を与えるトイフォト（ピンホール）を施す処理である。トイフォトの詳細については、後述する。
【０２１３】
トイフォトは、画像の中心からの距離が大きいほど輝度が小さく（暗く）なるようにして、あたかも穴から覗き込んで異空間に迷い込んだような効果を生じさせる処理である。トイフォトは、例えばローパスフィルタ処理、ホワイトバランス処理、コントラスト処理、色相・彩度処理に加え、輝度信号に対して周辺ほど小さい係数を乗じるシェーディング処理等の画像処理を組み合わせることによって実現される（トイフォト、シェーディングの詳細な内容については、例えば特開２０１０−７４２４４号公報を参照）。
【０２１４】
ラフモノクロームは、高コントラストとフィルムの粒状のノイズを付加してモノクロ画像の力強さや荒々しさを表現する処理である。ラフモノクロームは、例えばエッジ強調処理、レベル補正最適化処理、ノイズパターン重畳処理、合成処理およびコントラスト処理等を組み合わせることによって実現される（ラフモノクロームの詳細な内容については、例えば特開２０１０−６２８３６号公報を参照）。このうち、ノイズパターン重畳処理（ノイズ付加処理）は、予め作成したノイズパターン画像をもとの画像に加算する処理である。ノイズパターン画像は、例えば乱数などを発生させ、この乱数に基づいて生成してもよい。
【０２１５】
ジオラマは、高コントラストで高彩度の画像に、画像の周縁部をぼかすことにより、ミニチュア模型やおもちゃを見ているかのような雰囲気を画面上に作り出す処理である。ジオラマは、例えば色相・彩度処理、コントラスト処理、周辺ぼかし処理および合成処理等を組み合わせることによって実現される。このうち、周辺ぼかし処理は、画像の中心からの距離に応じ、周辺部ほどぼける度合いが大きくなるように、画像の位置に応じてローパス係数を変更しながらローパスフィルタ処理を行うものである。なお、周辺ぼかし処理として、画像の上下のみ、または画像の左右のみをぼかすようにしてもよい。
【０２１６】
図２３に戻り、撮像装置１ａの説明を続ける。
画像処理情報記録部２２７ｂは、後述する特殊効果処理部２２８ａが実行する画像処理のパラメータを記録する。具体的には、上述した特殊効果の種別に応じた画像処理のパラメータを記録する。
【０２１７】
画像処理部２２８は、バス２２４を介してＳＤＲＡＭ２２１から画像データを取得し、取得した画像データ（ＲＡＷデータ）に対して各種の画像処理を行って処理画像データを生成する。この処理画像データは、バス２２４を介してＳＤＲＡＭ２２１に出力される。画像処理部２２８は、特殊効果処理部２２８ａを有する。
【０２１８】
特殊効果処理部２２８ａは、画像処理情報記録部２２７ｂを参照して、入力部２１７を介して撮影者によって選択された特殊効果の画像処理を行う。具体的には、特殊効果処理部２２８ａは、１つの画像データに対して複数の画像処理を組み合わせることにより、視覚的な効果を生じさせるアート効果処理を行って処理画像データ（以下、「特殊効果画像データ」という）を生成する。
【０２１９】
［撮像装置の処理］
以上の構成を有する撮像装置１ａが実行する処理について説明する。図２５は、撮像装置１ａが実行する処理の概要を示すフローチャートである。
【０２２０】
図２５に示すように、まず、撮像装置１ａは、電源を起動する電源起動処理を実行する（ステップＳ５０１）。
【０２２１】
続いて、撮像装置１ａの起動要因が第一起動要因、具体的には電源スイッチ２１７ａが操作された場合（ステップＳ５０２：第一起動要因）、撮像装置１ａは、第一起動動作処理を実行する（ステップＳ５０３）。
【０２２２】
［第一起動動作処理］
図２６は、図２５のステップＳ５０３の第一起動動作処理の概要を示すフローチャートである。
【０２２３】
図２６に示すように、本体制御部２２５は、電源ＯＦＦ時の動作状態に撮像装置１ａを復帰させる（ステップＳ６０１）。
【０２２４】
続いて、本体制御部２２５は、ズーム駆動部３０２およびフォーカス駆動部３０８を駆動することによって、撮像光学系であるズーム光学系３０１、フォーカス光学系３０７および補正レンズ３１５を収納位置から撮影可能位置（Ｗｉｄｅ端）へ駆動する（ステップＳ６０２）。
【０２２５】
その後、本体制御部２２５は、レンズバリア駆動部４２を駆動させてレンズバリア４１を開く（ステップ６０３）。ステップＳ６０３の後、撮像装置１ａは、図２５のメインルーチンへ戻り、後述するステップＳ５０５へ移行する。
【０２２６】
図２５に戻り、説明を続ける。
ステップＳ５０２において、撮像装置１ａの起動要因が第二起動要因、具体的には脚部２１２がポップアップすることにより撮像装置１ａの電源がＯＮした場合（ステップＳ５０２：第二起動要因）、撮像装置１ａは、第二起動動作処理を実行する（ステップＳ５０４）。
【０２２７】
［第二起動動作処理］
図２７は、図２５のステップＳ５０４の第二起動動作処理の概要を示すフローチャートである。
【０２２８】
図２７に示すように、まず、本体制御部２２５は、Ｆｌａｓｈメモリ２２７のカスタム情報記録部２２７ａからカスタム情報を取得する（ステップＳ７０１）。なお、カスタム情報の設定方法については後述する。
【０２２９】
続いて、本体制御部２２５は、ズーム駆動部３０２およびフォーカス駆動部３０８を駆動することによって、撮像光学系であるズーム光学系３０１、フォーカス光学系３０７および補正レンズ３１５を収納位置から撮影可能位置（Ｗｉｄｅ端）へ駆動する（ステップＳ７０２）。
【０２３０】
その後、本体制御部２２５は、レンズバリア駆動部４２を駆動させてレンズバリア４１を開く（ステップＳ７０３）。
【０２３１】
続いて、本体制御部２２５は、カスタム情報（焦点距離情報）に基づいて、撮影者によって予め設定された望遠位置に撮像光学系のズーム光学系３０１を移動させるズーム駆動をズーム駆動部３０２に実行させる（ステップＳ７０４）。
【０２３２】
その後、本体制御部２２５は、カスタム情報に基づいて、手ブレ補正動作の設定を撮像装置１ａに行う（ステップＳ７０５）。なお、本体制御部２２５は、動画撮影やライブビュー撮影を行う場合、撮像素子２０３シフト手ブレ補正と、電子手ブレ補正とを設定する。ここで、撮像素子２０３シフト手ブレ補正とは、手ブレ検出部２１８の検出結果に基づいて、手ブレ補正部２０５を駆動させて撮像素子２０３を光軸Ｏ１と直交する面に対して移動させることによって手ブレによる像ブレを抑制する補正である。また、電子手ブレ補正とは、手ブレ検出部２１８の検出結果に基づいて、撮像素子２０３の撮像領域を移動させることによって手ブレによる像ブレを抑制する補正である。
【０２３３】
続いて、本体制御部２２５は、光源部５０１を駆動することによって、光学照準部５００による照準マークの表示を開始する（ステップＳ７０６）。ステップＳ７０６の後、撮像装置１ａは、図２５のメインルーチンへ戻り、後述するステップＳ５０５へ移行する。
【０２３４】
図２５に戻り、ステップＳ５０５以降の説明を続ける。
ステップＳ５０５において、表示制御部２２５ｈは、撮像素子２０３が連続的に生成した画像データに対応するライブビュー画像を背面表示部２１６または接眼表示部２１４に順次表示させるライブビュー画像の表示を開始する。
【０２３５】
続いて、メニュースイッチ２１７ｄが操作され、カスタム情報の設定操作が行われた場合（ステップＳ５０６：Ｙｅｓ）、撮像装置１ａは、カスタム情報を設定するカスタム情報設定処理を実行する（ステップＳ５０７）。
【０２３６】
［カスタム情報設定処理］
図２８は、図２５のステップＳ５０７のカスタム情報設定処理の概要を示すフローチャートである。ここで開示される動作は、カスタム情報テーブルＴ１０ａ（第一列）で指定された項目を、ユーザの操作に応じて、カスタム情報テーブルＴ１０ｃ（第三列）に開示された情報に基づき変更をすることを支援する。
【０２３７】
図２８に示すように、表示制御部２２５ｈは、背面表示部２１６または接眼表示部２１４にカスタム情報の設定画面（メニュー画面）を表示させる（ステップＳ８０１）。
【０２３８】
続いて、入力部２１７を介してカスタム情報の初期化操作が行われた場合（ステップＳ８０２：Ｙｅｓ）、本体制御部２２５は、Ｆｌａｓｈメモリ２２７のカスタム情報記録部２２７ａが記録するカスタム情報を初期化する（ステップＳ８０３）。具体的には、本体制御部２２５は、カスタム情報をメーカ出荷時の状態に初期化する。具体的には、カスタム情報テーブルＴ１０ａ（第一列）で指定された項目は、カスタム情報テーブルＴ１０ｂ（第二列）に示された状態に設定される（図２４を参照）。
ステップＳ８０３の後、撮像装置１ａは、後述するステップＳ８０４へ移行する。
【０２３９】
ステップＳ８０２において、入力部２１７を介してカスタム情報の初期化操作が行われていない場合（ステップＳ８０２：Ｎｏ）、撮像装置１ａは、後述するステップＳ８０４へ移行する。
【０２４０】
続いて、入力部２１７を介してカスタム情報の設定動作の終了操作が行われた場合（ステップＳ８０４：Ｙｅｓ）、本体制御部２２５は、設定されたカスタム情報をＦｌａｓｈメモリ２２７の制御パラメータとして記録する（ステップＳ８０５）。
【０２４１】
その後、表示制御部２２５ｈは、撮像素子２０３が連続的に生成した画像データに対応するライブビュー画像を背面表示部２１６または接眼表示部２１４に順次表示させるライブビュー画像の表示を再開する（ステップＳ８０６）。ステップＳ８０６の後、撮像装置１ａは、図２５のメインルーチンへ戻り、後述するステップＳ５０８へ移行する。
【０２４２】
ステップＳ８０４において、入力部２１７を介してカスタム情報の設定動作の終了操作が行われていない場合（ステップＳ８０４：Ｎｏ）、撮像装置１ａは、ステップＳ８０７へ移行する。
【０２４３】
続いて、入力部２１７を介して焦点距離情報の変更操作が行われた場合（ステップＳ８０７：Ｙｅｓ）、本体制御部２２５は、入力部２１７の操作に応じて、カスタム情報の焦点距離情報を変更する（ステップＳ８０８）。ステップＳ８０８の後、撮像装置１ａは、後述するステップＳ８０９へ移行する。
【０２４４】
ステップＳ８０７において、入力部２１７を介して焦点距離情報の変更操作が行われていない場合（ステップＳ８０７：Ｎｏ）、撮像装置１ａは、ステップＳ８０９へ移行する。
【０２４５】
続いて、入力部２１７を介してＡＦの動作条件の変更操作が行われた場合（ステップＳ８０９：Ｙｅｓ）、本体制御部２２５は、入力部２１７の操作に応じて、ＡＦ操の動作条件を変更する（ステップＳ８１０）。ステップＳ８１０の後、撮像装置１ａは、後述するステップＳ８１１へ移行する。
【０２４６】
ステップＳ８０９において、入力部２１７を介してＡＦの動作条件の変更操作が行われていない場合（ステップＳ８０９：Ｎｏ）、撮像装置１ａは、ステップＳ８１１へ移行する。
【０２４７】
続いて、入力部２１７を介して使用可能な特殊効果の変更操作が行われた場合（ステップＳ８１１：Ｙｅｓ）、本体制御部２２５は、入力部２１７の操作に応じて、使用可能な特殊効果の候補を変更する（ステップＳ８１２）。ステップＳ８１２の後、撮像装置１ａは、後述するステップＳ８１３へ移行する。
【０２４８】
ステップＳ８１１において、入力部２１７を介して使用可能な特殊効果の変更操作が行われていない場合（ステップＳ８１１：Ｎｏ）、撮像装置１ａは、ステップＳ８１３へ移行する。
【０２４９】
続いて、入力部２１７を介して防振動作（手ブレ補正に関する動作）の動作条件の変更操作が行われた場合（ステップＳ８１３：Ｙｅｓ）、入力部２１７の操作に応じて、防振動作の動作条件を変更する（ステップＳ８１４）。ステップＳ８１４の後、撮像装置１ａは、上述したステップＳ８０２へ戻る。
【０２５０】
ステップＳ８１３において、入力部２１７を介して防振動作の動作条件の変更操作が行われていない場合（ステップＳ８１３：Ｎｏ）、撮像装置１ａは、上述したステップＳ８０２へ戻る。
【０２５１】
図２５に戻り、説明を続ける。
ステップＳ５０６において、メニュースイッチ２１７ｄが操作されず、カスタム情報の設定操作が行われていない場合（ステップＳ５０６：Ｎｏ）、撮像装置１ａは、後述するステップＳ５０８へ移行する。
【０２５２】
続いて、入力部２１７を介して特殊効果の設定動作が行われた場合（ステップＳ５０８：Ｙｅｓ）、撮像装置１ａは、特殊効果設定処理を実行する（ステップＳ５０９）。
【０２５３】
［特殊効果設定処理］
図２９は、図２５のステップＳ５０９の特殊効果設定処理の概要を示すフローチャートである。
【０２５４】
図２９に示すように、表示制御部２２５ｈは、背面表示部２１６または接眼表示部２１４に特殊効果を選択する選択画面（メニュー画面）を表示させる（ステップＳ９０１）。
【０２５５】
続いて、光学照準部５００が使用されている場合、具体的には、光源部５０１が駆動している場合（ステップＳ９０２：Ｙｅｓ）、本体制御部２２５は、Ｆｌａｓｈメモリ２２７のカスタム情報記録部２２７ａに記録されたカスタム情報から選択可能な特殊効果に関する情報を取得する（ステップＳ９０３）。ステップＳ９０３の後、撮像装置１ａは、後述するステップＳ９０５へ移行する。
【０２５６】
ステップＳ９０２において、光学照準部５００が使用されていない場合（ステップＳ９０２：Ｎｏ）、本体制御部２２５は、全ての特殊効果を選択可能に設定する（ステップＳ９０４）。ステップＳ９０５の後、撮像装置１ａは、後述するステップＳ９０５へ移行する。
【０２５７】
続いて、表示制御部２２５ｈは、選択可能な特殊効果を背面表示部２１６または接眼表示部２１４に表示させる（ステップＳ９０５）。
【０２５８】
その後、入力部２１７を介して特殊効果の選択操作が行われた場合（ステップＳ９０６：Ｙｅｓ）、撮像装置１ａは、ステップＳ９０７へ移行する。これに対して、入力部２１７を介して特殊効果の選択操作が行われていない場合（ステップＳ９０６：Ｎｏ）、撮像装置１ａは、この判断を続ける。
【０２５９】
ステップＳ９０７において、本体制御部２２５は、選択された特殊効果を撮像画像に適用する特殊効果として設定する。
【０２６０】
その後、表示制御部２２５ｈは、表示制御部２２５ｈは、撮像素子２０３が連続的に生成した画像データに対応するライブビュー画像を背面表示部２１６または接眼表示部２１４に順次表示させるライブビュー画像の表示を再開する（ステップＳ９０８）。ステップＳ９０８の後、撮像装置１ａは、図２５のメインルーチンへ戻り、後述するステップＳ５１０へ移行する。
【０２６１】
図２５に戻り、説明を続ける。
ステップＳ５０８において、入力部２１７を介して特殊効果の設定動作が行われていない場合（ステップＳ５０８：Ｎｏ）、撮像装置１ａは、後述するステップＳ５１０へ移行する。
【０２６２】
続いて、脚部２１２がポップアップされている場合（ステップＳ５１０：Ｙｅｓ）、撮像装置１ａは、上述した第二起動動作処理を実行する（ステップＳ５１１）。ステップＳ５１１の後、撮像装置１ａは、後述するステップＳ５１２へ移行する。
【０２６３】
ステップＳ５１０において、脚部２１２がポップアップされていない場合（ステップＳ５１０：Ｎｏ）、撮像装置１ａは、後述するステップＳ５１２へ移行する。
【０２６４】
続いて、脚部２１２がポップダウンされた場合（ステップＳ５１２：Ｙｅｓ）、照準制御部２２５ｆは、光源部５０１を停止させることによって、照準マークの表示を停止させる（ステップＳ５１３）。ステップＳ５１３の後、撮像装置１ａは、後述するステップＳ５１４へ移行する。
【０２６５】
ステップＳ５１２において、脚部２１２がポップダウンされていない場合（ステップＳ５１２：Ｎｏ）、撮像装置１ａは、後述するステップＳ５１４へ移行する。
【０２６６】
続いて、フラッシュ発光部４００の駆動が許可されている場合（ステップＳ５１４：Ｙｅｓ）、本体制御部２２５は、ストロボ・モードの設定およびストロボ回路（図示せず）の動作を開始する（ステップＳ５１５）。ステップＳ５１５の後、撮像装置１ａは、後述するステップＳ５１６へ移行する。
【０２６７】
ステップＳ５１４において、フラッシュ発光部４００の駆動が許可されていない場合（ステップＳ５１４：Ｎｏ）、撮像装置１ａは、後述するステップＳ５１６へ移行する。
【０２６８】
続いて、フラッシュ発光部４００の駆動が禁止されている場合（ステップＳ５１６：Ｙｅｓ）、本体制御部２２５は、ストロボ・モードの解除およびストロボ回路（図示せず）の動作を停止する（ステップＳ５１７）。ステップＳ５１７の後、撮像装置１ａは、後述するステップＳ５１８へ移行する。
【０２６９】
ステップＳ５１６において、フラッシュ発光部４００の駆動が禁止されていない場合（ステップＳ５１６：Ｎｏ）、撮像装置１は、後述するステップＳ５１８へ移行する。
【０２７０】
続いて、レンズ操作部３１１を介してズーム操作が行われた場合（ステップＳ５１８：Ｙｅｓ）、本体制御部２２５は、ズーム駆動部３０２を駆動することによって、ズーム光学系３０１を光軸Ｏ１に沿って駆動させて焦点距離を変更する（ステップＳ５１９）。ステップＳ５１９の後、撮像装置１ａは、後述するステップＳ５２０へ移行する。
【０２７１】
ステップＳ５１８において、レンズ操作部３１１を介してズーム操作が行われていない場合（ステップＳ５１８：Ｎｏ）、撮像装置１ａは、後述するステップＳ５２０へ移行する。
【０２７２】
続いて、レリーズスイッチ２１７ｂが操作され１ｓｔ信号が入力された場合（ステップＳ５２０：Ｙｅｓ）、撮像装置１ａは、被写体に対してＡＦ処理を実行し、かつ、露出値を決定する撮影準備動作を実行する（ステップＳ５２１）。
【０２７３】
続いて、レリーズスイッチ２１７ｂから２ｎｄ信号が入力された場合（ステップＳ５２２：Ｙｅｓ）、表示制御部２２５ｈは、背面表示部２１６または接眼表示部２１４が表示するライブビュー画像の表示を中断する（ステップＳ５２３）。
【０２７４】
続いて、撮像制御部２２５ｇは、撮像素子２０３に撮影動作を実行させる（ステップＳ５２４）。この場合、撮像制御部２２５ｇは、撮像素子２０３が生成した画像データを記録媒体２２０に記録する。なお、撮像制御部２２５ｇは、撮像装置１ａが特殊効果が選択されている場合、特殊効果処理部２２８ａが画像データに特殊効果を施した画像データを記録媒体２２０に記録する。
【０２７５】
その後、表示制御部２２５ｈは、撮像素子２０３が連続的に生成した画像データに対応するライブビュー画像を背面表示部２１６または接眼表示部２１４に順次表示させるライブビュー画像の表示を再開する（ステップＳ５２５）。ステップＳ５２５の後、撮像装置１ａは、上述したステップＳ５０６へ戻る。
【０２７６】
ステップＳ５２０において、レリーズスイッチ２１７ｂが操作されず、１ｓｔ信号が入力されていない場合（ステップＳ５２０：Ｎｏ）、撮像装置１ａは、ステップＳ５２６へ移行する。
【０２７７】
続いて、電源スイッチ２１７ａから撮像装置１ａの電源をオフするオフ信号が入力された場合（ステップＳ５２６：Ｙｅｓ）、撮像装置１ａは、システムを停止させるシステム停止動作を実行する（ステップＳ５２７）。ステップＳ５２７の後、撮像装置１ａは、本処理を終了する。
【０２７８】
ステップＳ５２６において、電源スイッチ２１７ａから撮像装置１ａの電源をオフするオフ信号が入力されていない場合（ステップＳ５２６：Ｎｏ）、撮像装置１ａは、上述したステップＳ５０６へ戻る。
【０２７９】
以上説明した本発明の実施の形態２によれば、撮像制御部２２５ｇがスイッチ部２１３ｂから光学照準部５００を駆動する駆動信号が入力された場合、ズーム駆動部３０２を駆動してズーム光学系３０１を望遠位置に移動させて停止させるので、簡易な操作で望遠撮影を行うことができ、被写体を瞬時に撮影することができる。
【０２８０】
また、本発明の実施の形態２によれば、撮像制御部２２５ｇがスイッチ部２１３ｂから光学照準部５００の駆動を停止する停止信号が入力された場合、ズーム駆動部３０２の駆動を停止させてズーム光学系３０１を望遠位置で停止させる。この結果、簡易な操作で背面表示部２１６または接眼表示部２１４が表示するライブビュー画像を見ながら望遠撮影を行うことができる。
【０２８１】
また、本発明の実施の形態２によれば、入力部２１７が望遠位置に対応する焦点距離の設置を指示する指示信号の入力を受け付けるので、撮影者が所望の望遠位置を簡易な操作で設定することができる。
【０２８２】
また、本発明の実施の形態２によれば、光学照準部５００が駆動している場合、撮像制御部２２５ｇがフラッシュ発光部４００の照明光および補助光発光部２２６の補助光それぞれの照射を禁止するので、望遠撮影時に不要な照明光やＡＦ補助光が照射されることを防止することができる。
【０２８３】
また、本発明の実施の形態２によれば、表示制御部２２５ｈが変位量検出部７０６によって検出された光源部５０１の位置とズーム位置検出部３０３によって検出されたズームレンズの焦点距離とを対応付けた情報をライブビュー画像に重畳して背面表示部２１６に表示させる。この結果、撮影者は、光学照準部５００の光ビームまたは照準マークが照準している位置とズーム光学系３０１との焦点距離との関係を直感的に把握することができる。
【０２８４】
また、本発明の実施の形態２では、表示制御部２２５ｈが変位量検出部７０６によって検出された光源部５０１の位置とズーム位置検出部３０３によって検出されたズーム光学系３０１の現在の焦点距離とを対応付けた情報をライブビュー画像に重畳して背面表示部２１６または接眼表示部２１４に表示させてもよい。具体的には、図３０に示すように、表示制御部２２５ｈは、背面表示部２１６が表示するライブビュー画像Ｗ１１１上に、レンズ部３の焦点距離を示すバーＢ１１に、現在の焦点距離を示す情報ＺＢ１１を表示させるとともに、光学照準部５００の照準位置を示す情報ＺＴ１１を表示させる。これにより、撮影者は、直感的に現在の焦点距離と光学照準部５００の照準位置とを把握することができる。
【０２８５】
また、本発明の実施の形態２では、レンズバリア機構４に換えて、レンズ部３の沈胴位置とレンズ部３の撮影準備位置との間を光軸Ｏ２方向に進退し、レンズ部３の先端に設けられ、沈胴位置でレンズ部３の前面を保護する閉位置に駆動され撮影準備位置でレンズ部３の前面から退避した開位置に付勢駆動されるバリア部材と、バリア部材を閉位置に駆動するために光軸Ｏ２方向に延出させて形成された第１の腕部を有し光軸Ｏ２周りに回動するバリア駆動部材と、レンズ部３の沈胴位置とレンズ部３の撮影準備位置との間の進退に連動して光軸Ｏ２方向に移動し沈胴位置への移動時に第１の腕部に係合しバリア駆動部材を駆動しバリア部材を閉位置に位置させ、撮影準備位置への移動時に第１の腕部との係合を解除しバリア部材を開位置に位置させるべく光軸方向に延出させて形成された第２の腕部を有する移動枠とを用いたレンズバリア付レンズ鏡筒であってもよい（特開２００９−１６９１７８号公報）。
【０２８６】
また、本発明の実施の形態２では、例えば、図に示す再生スイッチ２１７ｆを押すと、撮影状態から再生状態となる。このとき、レンズ部３のズーム光学系３０１は、沈動状態となる。このとき、照準制御部２２５ｆは、光学照準部５００のポップアップ状態で、光学照準部５００の光源部５０１が発光されている場合には、再生状態に切り替わると光源部５０１を消灯されるようにしてもよい。そして、表示制御部２２５ｈは、背面表示部２１６に最後に撮影された画像データが表示されるようにしてもよい。また、撮像装置１ａは、レンズ操作部３１１の操作により、背面表示部２１６で表示された画像データが拡大、または縮小することができるし、必要に応じてトリミング処理や構図ガイドの重ね合わせなどの表示により再生された画像の編集を行うことができるようにしてもよい。さらに、再生スイッチ２１７ｆを押すと再生状態から撮影状態に戻る。背面表示部２１６で表示される画像が再生画像からライブビュー画像に切り替わる。さらに、光学照準部５００のポップアップ状態下である場合には光学照準部５００の光源部５０１から光ビームまたは照準マークを発光する。通常は、ポップアップ用のスイッチ部２１３ｂをオン状態やレリーズスイッチ２１７ｂを半押し状態が確認され、動作を開始したときに、光学照準部５００の光源部５０１から光ビームまたは照準マークが発光する。なお、撮像装置１ａは、レンズ操作部３１１が操作された場合、広角端から望遠端までの位置を段階的に位置決めして背面表示部２１６にライブビュー画像が表示される。また、撮像装置１ａは、撮影モードにおいて、光学照準部５００の光源部５０１から光ビームまたは照準マークの発光を停止してもよい。この場合、ポップアップ用スイッチの起動は無効処理が行われる。このように再生状態やパノラマ撮影モードにおいて光学照準部５００の光源部５０１からの発光を停止することで、電池の消耗を低減できる。
【０２８７】
（その他の実施の形態）
なお、本発明では、光学照準部５００を駆動した際に、図２１に示すように、撮像制御部２２５ｇがレンズ制御部３１４を介してレンズ手ブレ補正部３１０を駆動させてズーム光学系３０１およびフォーカス光学系３０７の位置を移動させることによって、光学照準部５００とレンズ部３の視差を自動的に小さくなるように制御してもよい。
【０２８８】
また、本発明では、表示制御部２２５ｈが視野領域の明るさに基づいて、光学照準部５００の光源部５０１が射出する光ビームや照準マークの明るさや大きさを調整してもよい。これにより、撮像装置１の環境に最適な明るさで被写体を照準することができる。
【０２８９】
また、本発明では、表示制御部２２５ｈが被写体の種別、例えば顔や動物毎に画角に対応する枠の色や形状等を変更して光学照準部５００の光源部５０１から発光する光ビームまたは照準マークとしてもよい。
【０２９０】
また、本発明では、光学素子５０２としてハーフミラーを用いていたが、例えば誘電多層膜を設けたホログラフィック素子で構成された導光板と、プリズム等を組み合わせて構成してもよい。
【０２９１】
また、本発明では、撮像制御部２２５ｇが光学照準部５００の駆動時に、撮像制御部２２５ｇが光学照準部５００の駆動に対応した撮影制御として手ブレ補正部２０５の駆動制御および／またはレンズ部３のピント位置の駆動制御を変更した撮影制御を行っていたが、撮像装置１の撮影パラメータを変更してもよい。具体的には、撮像制御部２２５ｇは、光学照準部５００が駆動した場合、撮影パラメータ、例えば絞り値、露出値、シャッタスピード、ＩＳＯ感度、階調、ホワイトバランスおよび彩度を変更した撮影制御で撮影を行ってもよい。例えば、撮像制御部２２５ｇは、光学照準部５００が駆動した場合、絞り値およびＩＳＯ感度を大きくするとともに、シャッタスピードを速くする撮影パラメータに変更した撮影制御で撮影を行うようにしてもよい。これにより、望遠撮影で鳥等の被写体を撮影する場合、被写体にピントを合わせつつ、周りの風景にもピントを合わせた撮影を行うことができる。
【０２９２】
また、本発明にかかる撮像装置は、レンズを着脱自在なデジタル一眼レフカメラ以外にも、レンズ一体型のデジタルカメラ、デジタルビデオカメラおよび撮像機能を有する携帯電話やタブレット型携帯機器等の電子機器にも適用することができる。
【０２９３】
また、本発明かかる撮像装置は、光学照準部と本体部とが一体的に形成されたデジタルカメラ以外にも、光学照準部がホットシュー等を介して本体部に着脱自在なアクセサリであっても適用することができる。
【０２９４】
また、本発明にかかる撮像装置に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０２９５】
また、本発明にかかる撮像装置に実行させるプログラムは、ネットワーク経由でダウンロードしてＦｌａｓｈメモリや記録媒体等に記録させてもよい。さらに、本発明にかかる撮像装置に実行させるプログラムをインターネット等のネットワーク経由で提供または配布するように構成しても良い。
【０２９６】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０２９７】
このように、本発明は、ここでは記載していない様々な実施の形態を含みうるものであり、特許請求の範囲によって特定される技術的思想の範囲内で種々の設計変更等を行うことが可能である。
【符号の説明】
【０２９８】
１  撮像装置
２  本体部
３  レンズ部
４  レンズバリア機構
２０１  シャッタ
２０２  シャッタ駆動部
２０３  撮像素子
２０４  撮像素子駆動部
２０５  手ブレ補正部
２０６  信号処理部
２０７  Ａ／Ｄ変換部
２０８，２２８  画像処理部
２０９  ＡＥ処理部
２１０  ＡＦ処理部
２１１  画像圧縮展開部
２１２  脚部
２１３  ポップアップスイッチ部
２１３ａ  検出部
２１３ｂ  スイッチ部
２１４  接眼表示部
２１５  アイセンサ
２１６  背面表示部
２１７  入力部
２１７ａ  電源スイッチ
２１７ｂ  レリーズスイッチ
２１７ｃ  モードスイッチ
２１７ｄ  メニュースイッチ
２１７ｅ  動画スイッチ
２１７ｆ  再生スイッチ
２１７ｇ  タッチパネル
２１８  手ブレ検出部
２１９  時計
２２０  記録媒体
２２２，２２７  Ｆｌａｓｈメモリ
２２２ａ  プログラム記録部
２２３  本体通信部
２２４  バス
２２５  本体制御部
２２５ａ  明るさ検出部
２２５ｂ  距離検出部
２２５ｃ  顔検出部
２２５ｄ  被写体検出部
２２５ｅ  モード切換部
２２５ｆ  照準制御部
２２５ｇ  撮像制御部
２２５ｈ  表示制御部
２２６  補助光発光部
２２８ａ  特殊効果処理部
２２７ａ  カスタム情報記録部
２２７ｂ  画像処理情報記録部
５００  光学照準部
５０１  光源部
５０２  光学素子
５０３  支持部
５０４  開口部
５０４ａ  カバー部材
６００  ポップアップ部
７００  光源調整部
【図１】
2015025878.tif 000003
【図２】
2015025878.tif 000004
【図３】
2015025878.tif 000005
【図４】
2015025878.tif 000006
【図５】
2015025878.tif 000007
【図６】
2015025878.tif 000008
【図７】
2015025878.tif 000009
【図８】
2015025878.tif 000010
【図９】
2015025878.tif 000011
【図１０】
2015025878.tif 000012
【図１１】
2015025878.tif 000013
【図１２】
2015025878.tif 000014
【図１３】
2015025878.tif 000015
【図１４】
2015025878.tif 000016
【図１５】
2015025878.tif 000017
【図１６】
2015025878.tif 000018
【図１７】
2015025878.tif 000019
【図１８】
2015025878.tif 000020
【図１９】
2015025878.tif 000021
【図２０】
2015025878.tif 000022
【図２１】
2015025878.tif 000023
【図２２】
2015025878.tif 000024
【図２３】
2015025878.tif 000025
【図２４】
2015025878.tif 000026
【図２５】
2015025878.tif 000027
【図２６】
2015025878.tif 000028
【図２７】
2015025878.tif 000029
【図２８】
2015025878.tif 000030
【図２９】
2015025878.tif 000031
【図３０】
2015025878.tif 000032
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
被写体と対向する前面側に設けられた撮像光学系を介して視野領域から集光した光を受光して画像データを生成する撮像素子を備えた撮像装置であって、
光ビームまたは照準マークを射出する光源部と、前記視野領域からの光を透過するとともに、前記光源部が出射した光束を前記前面側と相反する背面側に向けて反射する光学素子と、を有し、前記撮像光学系が集光する前記視野領域からの光を透過するとともに、前記視野領域からの光を透過する領域に前記光ビームまたは前記照準マークの虚像を生じさせる光学照準部と、
少なくとも前記光学素子を当該撮像装置から遠ざかる方向へ移動可能に保持するとともに、前記光源部を前記撮像光学系の光軸と直交する垂直面において移動可能に保持する脚部と、前記脚部の先端に設けられ、前記視野領域に対して照明光を照射するフラッシュ発光部と、
当該撮像装置がピントを自動的に合わせるオートフォーカス処理時に前記視野領域に対して補助光を照射する補助光発光部と、
前記光学照準部が駆動した場合、前記光学照準部の駆動に対応した撮影制御で撮影を行う撮像制御部と、
を備え、
前記撮像制御部は、前記光学照準部が駆動した場合、前記フラッシュ発光部の照明光および前記補助光発光部の前記補助光それぞれの照射を禁止することを特徴とする撮像装置。
【請求項２】
前記光学照準部を駆動する駆動信号の入力を受け付けるスイッチ部をさらに備え、
前記撮像光学系は、
焦点距離を変更可能なズームレンズと、
前記ズームレンズを前記撮像光学系の光軸に沿って移動させるズーム駆動部と、
を有し、
前記撮像制御部は、
前記スイッチ部から前記駆動信号が入力された場合、前記ズーム駆動部を駆動して前記ズームレンズを望遠位置に移動させて停止させることを特徴とする請求項１に記載の撮像装置。
【請求項３】
前記スイッチ部は、
前記光学照準部の駆動を停止する停止信号の入力をさらに受け付け、
前記撮像制御部は、
前記スイッチ部から前記停止信号が入力された場合、前記ズームレンズを前記望遠位置で停止させることを特徴とする請求項２に記載の撮像装置。
【請求項４】
前記望遠位置に対応する焦点距離の設定を指示する指示信号の入力を受け付ける入力部をさらに備えたことを特徴とする請求項３に記載の撮像装置。
【請求項５】
前記脚部における前記光源部の位置を調整可能な光源調整部をさらに備えたことを特徴とする請求項４に記載の撮像装置。
【請求項６】
前記脚部における前記光源部の位置を検出する位置検出部と、
前記画像データに対応する画像を表示する表示部と、
前記撮像光学系の現在の焦点距離を検出する焦点距離検出部と、
前記位置検出部が検出した前記光源部の位置と前記焦点距離検出部が検出した前記焦点距離とを対応付けた情報を前記画像に重畳して前記表示部に表示させる表示制御部と、
をさらに備えたことを特徴とする請求項５に記載の撮像装置。
【請求項７】
当該撮像装置に生じる手ブレを検出する手ブレ検出部と、
前記撮像素子および前記撮像光学系のいずれか一方を移動させて前記手ブレを抑制する手ブレ補正部と、
をさらに備え、
前記撮像制御部は、前記手ブレ検出部が検出した前記手ブレの検出結果に基づいて、前記手ブレ補正部の駆動制御を行うとともに、前記光学照準部が駆動した場合、前記手ブレ補正部の駆動をホールドさせることを特徴とする請求項１に記載の撮像装置。
【請求項８】
露光を開始する開始信号の入力を受け付けるレリーズスイッチをさらに備え、
前記撮像制御部は、前記光学照準部が駆動した場合において、前記レリーズスイッチから前記開始信号が入力されたとき、前記手ブレ補正部を駆動させることを特徴とする請求項７に記載の撮像装置。
【請求項９】
前記画像データに対応する画角内における被写体から当該撮像装置までの距離を検出する距離検出部をさらに備え、
前記撮像制御部は、前記光学照準部が駆動した場合、前記距離検出部が検出した前記距離に基づいて、前記手ブレ補正部を駆動させて前記撮像素子を移動させることを特徴とする請求項８に記載の撮像装置。
【請求項１０】
前記画像データに対応する画像内における被写体の顔を検出する顔検出部をさらに備え、
前記撮像制御部は、前記光学照準部が駆動した場合、前記手ブレ補正部を駆動することによって、前記顔検出部が検出した前記顔を含む領域が前記画像の中央に位置するように前記撮像素子を移動させることを特徴とする請求項８に記載の撮像装置。
【請求項１１】
前記撮像素子の位置を移動させる指示信号の入力を受け付ける入力部をさらに備え、
前記撮像制御部は、前記光学照準部が駆動した場合、前記手ブレ補正部を駆動することによって、前記入力部が前記指示信号の入力を受けたとき、前記手ブレ補正部を駆動することによって、前記指示信号に応じた位置に前記撮像素子を移動させることを特徴とする請求項８に記載の撮像装置。
【請求項１２】
前記撮像素子が時間的に連続して生成する前記画像データに対応する画像間において移動する被写体を検出する被写体検出部をさらに備え、
前記手ブレ検出部は、前記手ブレとして当該撮像装置の構え直しを検出し、
前記撮像制御部は、前記手ブレ検出部が前記構え直しを検出した場合、前記被写体検出部が検出した前記被写体に応じて前記撮像素子を移動させて前記手ブレを抑制する撮影制御で撮影を行うことを特徴とする請求項８〜１１のいずれか一つに記載の撮像装置。
【請求項１３】
前記撮像光学系を該撮像光学系の光軸上を移動させる駆動部をさらに備え、
前記撮像制御部は、前記駆動部を駆動することによって、前記撮像光学系を移動させて前記撮像光学系のピント位置を調整するとともに、前記光学照準部が駆動した場合、前記ピント位置を前記画像データに対応する画像内における所定の領域に設定することを特徴とする請求項１に記載の撮像装置。
【請求項１４】
前記画像内における位置を指示する指示信号の入力を受け付ける入力部をさらに備え、
前記所定の領域は、前記画像の中央領域または前記入力部が受け付けた前記指示信号に応じた位置を含む領域であることを特徴とする請求項１３に記載の撮像装置。
【請求項１５】
前記画像データに対応する画像を表示可能な背面表示部と、
前記画像データに対応する画像を表示可能な接眼表示部と、
前記接眼表示部に近接する物体を検出する物体検出部と、
前記物体検出部が前記物体を検出した場合、前記接眼表示部に前記画像を表示させる一方、前記物体検出部が前記物体を検出しない場合、前記背面表示部に前記画像を表示させる表示制御部と、
を備え、
前記撮像制御部は、前記光学照準部が駆動中に、前記物体検出部が前記物体を検出した場合、前記光学照準部の駆動を停止することを特徴とする請求項１３または１４に記載の撮像装置。
【請求項１６】
前記脚部は、少なくとも前記光学素子を当該撮像装置から遠ざかる方向へ移動可能に保持することを特徴とする請求項１に記載の撮像装置。
【請求項１７】
前記脚部は、基端部が当該撮像装置に回転可能に軸支され、
前記光源部は、当該撮像装置または前記脚部に設けられ、
前記光学照準部は、当該撮像装置に対して回動可能に前記光学素子を支持する支持部を有することを特徴とする請求項１６に記載の撮像装置。
【請求項１８】
前記光学素子は、当該撮像装置と前記フラッシュ発光部との間に設けられていることを特徴とする請求項１７に記載の撮像装置。
【請求項１９】
被写体と対向する前面側に設けられた撮像光学系を介して視野領域から集光した光を受光して画像データを生成する撮像素子と、光ビームまたは照準マークを射出する光源部と、前記視野領域からの光を透過するとともに、前記光源部が出射した光束を前記前面側と相反する背面側に向けて反射する光学素子と、を有し、前記撮像光学系が集光する前記視野領域からの光を透過するとともに、前記視野領域からの光を透過する領域に前記光ビームまたは前記照準マークの虚像を生じさせる光学照準部と、少なくとも前記光学素子を当該撮像装置から遠ざかる方向へ移動可能に保持するとともに、前記光源部を前記撮像光学系の光軸と直交する垂直面において移動可能に保持する脚部と、前記脚部の先端に設けられ、前記視野領域に対して照明光を照射するフラッシュ発光部と、当該撮像装置がピントを自動的に合わせるオートフォーカス処理時に前記視野領域に対して補助光を照射する補助光発光部と、を備えた撮像装置が実行する撮像方法であって、
前記光学照準部が駆動した場合、前記光学照準部の駆動に対応した撮影制御で撮影を行う撮像制御ステップを含み、
前記撮像制御ステップは、前記光学照準部が駆動した場合、前記フラッシュ発光部の照明光および前記補助光発光部の前記補助光それぞれの照射を禁止することを特徴とする撮像方法。
【請求項２０】
被写体と対向する前面側に設けられた撮像光学系を介して視野領域から集光した光を受光して画像データを生成する撮像素子と、光ビームまたは照準マークを射出する光源部と、前記視野領域からの光を透過するとともに、前記光源部が出射した光束を前記前面側と相反する背面側に向けて反射する光学素子と、を有し、前記撮像光学系が集光する前記視野領域からの光を透過するとともに、前記視野領域からの光を透過する領域に光ビームまたは照準マークの虚像を生じさせる光学照準部と、少なくとも前記光学素子を当該撮像装置から遠ざかる方向へ移動可能に保持するとともに、前記光源部を前記撮像光学系の光軸と直交する垂直面において移動可能に保持する脚部と、前記脚部の先端に設けられ、前記視野領域に対して照明光を照射するフラッシュ発光部と、当該撮像装置がピントを自動的に合わせるオートフォーカス処理時に前記視野領域に対して補助光を照射する補助光発光部と、を備えた撮像装置に、
前記光学照準部が駆動した場合、前記光学照準部の駆動に対応した撮影制御で撮影を行う撮像制御ステップを実行させ、
前記撮像制御ステップは、前記光学照準部が駆動した場合、前記フラッシュ発光部の照明光および前記補助光発光部の前記補助光それぞれの照射を禁止することを特徴とするプログラム。
【国際調査報告】
2015025878.tif 000033
2015025878.tif 000034
2015025878.tif 000035
2015025878.tif 000036